(57)【要約】  移動能力評価装置は、通信部と、制御部とを備える。通信部は、被験者の腰部に装着された加速度センサにより測定された、被験者の移動中における前後加速度、左右加速度および上下加速度を取得するように構成される。制御部は、通信部により取得された前後加速度、左右加速度および上下加速度の時間的変化に基づいて、被験者の移動能力を評価するように構成される。被験者の移動能力は、被験者の移動時における前後バランス、左右バランスおよび体重移動の少なくとも１つを含む。
2018051583.tif 000002
【特許請求の範囲】
【請求項１】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含む、移動能力評価装置。
【請求項２】
前記制御部は、前記前後加速度の時間波形に基づいて、前記前後バランスを示す指標を算出する、請求項１に記載の移動能力評価装置。
【請求項３】
前記制御部は、
１歩行周期における前記前後加速度の時間波形において、前記被験者の一方の足の踵接地時刻および立脚中期時刻を探索し、
前記踵接地時刻から前記立脚中期時刻までの時間における前記上下加速度の時間波形に基づいて、前記一方の足における前記体重移動を示す指標を算出する、請求項１に記載の移動能力評価装置。
【請求項４】
前記制御部は、
１歩行周期における前記前後加速度の時間波形において、前記被験者の右踵接地時刻、右立脚中期時刻、左踵接地時刻、および左立脚中期時刻を探索し、
前記右踵接地時刻から前記右立脚中期時刻までの時間における左方加速度の時間波形、および前記左踵接地時刻から前記左立脚中期時刻までの右方加速度の時間波形に基づいて、前記左右バランスを示す指標を算出する、請求項１に記載の移動能力評価装置。
【請求項５】
前記制御部は、前記前後加速度の自己相関関数に基づいて、前記前後バランスを示す指標を算出する、請求項１に記載の移動能力評価装置。
【請求項６】
前記制御部は、前記上下加速度の自己相関関数に基づいて、前記体重移動を示す指標を算出する、請求項１に記載の移動能力評価装置。
【請求項７】
前記制御部は、前記左右加速度の自己相関関数および前記前後加速度の自己相関関数に基づいて、前記左右バランスを示す指標を算出する、請求項１に記載の移動能力評価装置。
【請求項８】
前記制御部は、前記移動能力を示す指標に基づいて、前記被験者に応じた運動アドバイスを判別する、請求項１から請求項７のいずれか１項に記載の移動能力評価装置。
【請求項９】
前記制御部による評価結果および前記運動アドバイスの少なくとも一方を表示するように構成された表示部をさらに備える、請求項８に記載の移動能力評価装置。
【請求項１０】
被験者の腰部に装着された加速度センサと、
前記加速度センサが出力する信号に基づいて、前記被験者の移動能力を評価するように構成された移動能力評価装置とを備え、
前記移動能力評価装置は、
前記加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを含み、
前記移動能力は、前記被験者の移動時における前後バランス、体重移動および左右バランスの少なくとも１つを含む、移動能力評価システム。
【請求項１１】
前記加速度センサは、
前記被験者の前記腰部に生じる前記前後加速度、前記左右加速度および前記上下加速度を測定するように構成されたセンサ部と、
前記被験者が静止した状態であるときの前記センサ部の測定値を、前記前後加速度、前記左右加速度および前記前後加速度の零点に補正するともに、前記被験者の移動中において、１ｍｓ以上２００ｍｓ以下の周期で前記センサ部の測定値を取得するように構成された信号処理回路とを含む、請求項１０に記載の移動能力評価システム。
【請求項１２】
前記移動能力評価装置は、前記通信部により取得された前記前後加速度、前記左右加速度および前記上下加速度、ならびに前記制御部における評価結果を記憶するように構成された記憶装置をさらに含み、
前記加速度センサは、
前記信号処理回路により取得された前記センサ部の測定値を前記通信部に向けて送信するように構成された送信部と、
前記信号処理回路により取得された前記センサ部の測定値を保存するように構成された記憶部とを含み、
前記信号処理回路は、前記移動能力評価装置からの信号に応じて、前記記憶装置および前記記憶部のいずれか一方を選択して前記センサ部の測定値を保存する、請求項１１に記載の移動能力評価システム。
【請求項１３】
コンピュータに、被験者の移動能力を評価する処理を実行させるためのプログラムであって、
前記移動能力は、前記被験者の移動時における前後バランス、体重移動および左右バランスの少なくとも１つを含み、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを前記コンピュータに実行させる、移動能力評価プログラム。
【請求項１４】
被験者の移動能力を評価する移動能力評価方法であって、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力は、前記被験者の移動時における前後バランス、体重移動および左右バランスの少なくとも１つを含む、移動能力評価方法。
【請求項１５】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）前記前後加速度の時間波形に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
のうちの少なくとも１つを実行する、移動能力評価装置。
【請求項１６】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）前記前後加速度の自己相関関数に基づいた、前記前後バランスを示す指標の算出、
（ｂ）前記上下加速度の自己相関関数に基づいた、前記体重移動を示す指標の算出、
（ｃ）前記左右加速度の自己相関関数および前記前後加速度の自己相関関数に基づいた、前記左右バランスを示す指標の算出、
のうちの少なくとも１つを実行する、移動能力評価装置。
【発明の詳細な説明】
【技術分野】
【０００１】
本開示は、移動能力評価装置、移動能力評価システム、移動能力評価プログラム、および移動能力評価方法に関する。本出願は、２０１６年９月１６日に出願した日本特許出願である特願２０１６−１８１５７２号に基づく優先権を主張する。当該日本特許出願に記載された全ての記載内容は、参照によって本明細書に援用される。
【背景技術】
【０００２】
被験者の移動能力を、適宜、評価することが実施されている。移動能力の評価は、転倒発生の予測などに用いることができる。【０００３】
たとえば特開２００８−２２９２６６号公報（特許文献１）には、歩行時における被験者の腰部の上下方向における加速度である上下加速度と、腰部の前後方向における加速度である前後加速度と、腰部の左右方向における加速度である左右加速度とからなる腰部加速度の時間変化を計測し、計測値をもとに、被験者の歩行能力を検出する技術が示されている。【０００４】
また、特開２００９−８９７４０号公報（特許文献２）には、一定時間ごとに検出された、被験者の前後方向、左右方向および上下方向における体軸の加速度の大きさおよび向きに基づいて、歩く、走る、階段を上る、階段を下りるなどの被験者の行動を識別する技術が示されている。【０００５】
さらに、特開２０１０−１７２４８１号公報（特許文献３）には、被験者の所定の部位（左右のつま先部、左右の膝関節部、および腰部）に装着された加速度センサによって測定された、当該所定の部位の歩行中または運動中の上下方向、左右方向および前後方向に生じる加速度に基づいて、加速度に関連する統計量を算出し、算出された統計量に対して受信者動作特性解析を行なうことによって、被験者の転倒リスクを評価する際に用いるリスク指標を設定する技術が示されている。
【先行技術文献】
【特許文献】
【０００６】
【特許文献１】特開２００８−２２９２６６号公報
【特許文献２】特開２００９−８９７４０号公報
【特許文献３】特開２０１０−１７２４８１号公報
【発明の概要】
【０００７】
本発明の一態様に係る移動能力評価装置は、被験者の移動能力を評価する移動能力評価装置であって、通信部と、制御部とを備える。通信部は、被験者の腰部に装着された加速度センサにより測定された、被験者の移動中における前後加速度、左右加速度および上下加速度を取得するように構成される。制御部は、通信部により取得された前後加速度、左右加速度および上下加速度の時間的変化に基づいて、被験者の移動能力を評価するように構成される。被験者の移動能力は、被験者の移動時における前後バランス、左右バランスおよび体重移動の少なくとも１つを含む。
【０００８】
本発明の一態様に係る移動能力評価システムは、被験者の腰部に装着された加速度センサと、加速度センサが出力する信号に基づいて、被験者の移動能力を評価するように構成された移動能力評価装置とを備える。移動能力評価装置は、通信部と、制御部とを含む。通信部は、加速度センサにより測定された、被験者の移動中における前後加速度、左右加速度および上下加速度を取得するように構成される。制御部は、通信部により取得された前後加速度、左右加速度および上下加速度の時間的変化に基づいて、移動能力を評価するように構成される。移動能力は、被験者の移動時における前後バランス、体重移動および左右バランスの少なくとも１つを含む。
【０００９】
本発明の一態様に係る移動能力評価プログラムは、コンピュータに、被験者の移動能力を評価する処理を実行させるためのプログラムである。移動能力は、被験者の移動時における前後バランス、体重移動および左右バランスの少なくとも１つを含む。移動能力評価プログラムは、被験者の腰部に装着された加速度センサにより測定された、被験者の移動中における前後加速度、左右加速度および上下加速度を取得するステップと、取得された前後加速度、左右加速度および上下加速度の時間的変化に基づいて、移動能力を評価するステップとをコンピュータに実行させる。
【００１０】
本発明の一態様に係る移動能力評価方法は、被験者の移動能力を評価する移動能力評価方法であって、被験者の腰部に装着された加速度センサにより測定された、被験者の移動中における後加速度、左右加速度および上下加速度を取得するステップと、取得された前後加速度、左右加速度および上下加速度の時間的変化に基づいて、移動能力を評価するステップとを備える。移動能力は、被験者の移動時における前後バランス、体重移動および左右バランスの少なくとも１つを含む。
【図面の簡単な説明】
【００１１】
【図１】図１は、実施の形態１に係る移動能力評価システムの構成を概略的に示す図である。
【図２】図２は、実施の形態１に係る移動能力評価システムのハードウェア構成を概略的に示す図である。
【図３】図３は、実施の形態１に係る加速度センサの機能的構成を概略的に示す図である。
【図４】図４は、実施の形態１に係る移動能力評価装置の機能的構成を概略的に示す図である。
【図５】図５は、人間の歩行周期と、歩行中の前後加速度、上下加速度および左右加速度との関係を示す図である。
【図６】図６は、実施の形態１に係る移動能力評価システムにより実行される移動能力評価を説明するためのフローチャートである。
【図７】図７は、図６のステップＳ１８に示す移動能力の評価の処理手順を説明するためのフローチャートである。
【図８】図８は、図７のステップＳ３２，Ｓ３３に示す処理を説明するための図である。
【図９】図９は、図７のステップＳ３４に示す処理を説明するための図である。
【図１０】図１０は、図７のステップＳ３５に示す処理を説明するための図である。
【図１１】図１１は、図７のステップＳ３６に示す処理を説明するための図である。
【図１２】図１２は、図７のステップＳ３６に示す処理を説明するための図である。
【図１３】図１３は、移動能力の評価結果の表示例を示す図である。
【図１４】図１４は、運動アドバイスの表示例を示す図である。
【図１５】図１５は、図６のステップＳ１８に示す移動能力の評価の処理手順を説明するためのフローチャートである。
【図１６】図１６は、図１５のステップＳ４３に示す処理を説明するための図である。
【図１７】図１７は、図１５のステップＳ４３に示す処理を説明するための図である。
【図１８】図１８は、図１５に示すステップＳ４３に示す処理を説明するための図である。
【図１９】図１９は、移動能力評価システムの他の構成を概略的に示す図である。
【発明を実施するための形態】
【００１２】
[本開示が解決しようとする課題]
特許文献１に開示される技術では、被験者の歩行能力として、異なる複数の歩行形態による歩行を行なったときの歩行速度、歩幅、歩調などを検出し、これらの検出値から被験者の転倒リスクを判定する。
【００１３】
一方、高齢者等の転倒は、通常、筋力低下、バランス能力低下、関節可動域制限、柔軟性低下、および姿勢変化などの運動機能の低下に密接に関係している。これらの運動機能が低下することによって、歩行時にバランスを保つことが困難になる、あるいは、体重移動を上手く行なうことができなくなるため、移動中の転倒を招きやすくなる。
【００１４】
しかしながら、特許文献１の技術においては、歩行速度、歩幅および歩調などから被験者の歩行能力を推定するものの、バランス能力および体重移動能力などについては的確に評価することが困難である。その結果、被験者の転倒リスクを精度良く判定することができないという問題がある。
【００１５】
また、特許文献２に開示される技術は、被験者の体軸の加速度を計測するものの、その計測値を用いて人の行動を精度良く識別することで行動に対応したカロリーを正確に計算することを課題としており、上述したような身体機能の低下を評価することについて全く言及されていない。
【００１６】
また、特許文献３に開示される技術は、歩行動作または運動動作が行なわれた一定時間に生じた加速度を平均化することで、加速度に関連する統計量を算出するため、算出された統計量からは、当該一定時間における被験者のバランス能力および体重移動能力などを的確に評価することが難しいという問題がある。
【００１７】
本発明の一態様の目的は、被験者の移動能力を的確に評価することができる移動能力評価装置、移動能力評価システム、移動能力評価プログラムおよび移動能力評価方法を提供することである。
[本開示の効果]
上記によれば、被験者の移動能力を的確に評価することができる。
【００１８】
[本発明の実施形態の説明]
最初に本発明の実施態様を列記して説明する。
【００１９】
（１）本発明の一態様に係る移動能力評価装置は、被験者の移動能力を評価する移動能力評価装置であって、通信部と、制御部とを備える。通信部は、被験者の腰部に装着された加速度センサにより測定された、被験者の移動中における前後加速度、左右加速度および上下加速度を取得するように構成される。制御部は、通信部により取得された前後加速度、左右加速度および上下加速度の時間的変化に基づいて、移動能力を評価するように構成される。移動能力は、被験者の移動時における前後バランス、左右バランスおよび体重移動の少なくとも１つを含む。
【００２０】
上記によれば、被験者の移動能力を評価するための指標として、移動時における被験者の前後バランス、左右バランスおよび体重移動の少なくとも１つを用いることにより、被験者の移動能力を的確に評価することができる。これにより、被験者の転倒リスクを精度良く判定することが可能となる。
【００２１】
（２）上記（１）に記載の移動能力評価装置において好ましくは、制御部は、前後加速度の時間波形に基づいて、前後バランスを示す指標を算出する。
【００２２】
上記によれば、前後加速度の時間波形から、被験者の移動中の体重心の前後方向の変化を定量的に評価することができる。よって、被験者の移動時における前後バランスを評価することができる。
【００２３】
好ましくは、制御部は、少なくとも１歩行周期における前後加速度の時間波形における、前方加速度および後方加速度の分布状況に基づいて、前後バランスを示す指標を算出する。このようにすると、被験者の移動時における前後バランスを定量的に評価することができる。
【００２４】
（３）上記（１）に記載の移動能力評価装置において好ましくは、制御部は、１歩行周期における前後加速度の時間波形において、被験者の一方の足の踵接地時刻および立脚中期時刻を探索する。制御部は、踵接地時刻から立脚中期時刻までの時間における上下加速度の時間波形に基づいて、該一方の足における体重移動を示す指標を算出する。
【００２５】
上記によれば、踵接地時刻から立脚中期時刻までの時間における上下加速度の時間波形から、踵の接地後の被験者の体重心の上下方向の変化を定量的に評価することができる。これにより、立脚となる足裏における体重移動を評価することができる。
【００２６】
好ましくは、制御部は、踵接地時刻から立脚中期時刻までの時間における上下加速度の時間波形において、踵接地直後の踏込動作時刻、および拇指球接地直後の踏込動作時刻を探索する。制御部は、踵接地直後の踏込動作時刻および拇指球接地直後の踏込動作時刻付近の上下加速度の時間波形に基づいて、体重移動を示す指標を算出する。このようにすると、踵接地直後および拇指球接地直後の踏込動作による被験者の体重心の上下方向の変化を定量的に評価することができる。
【００２７】
より好ましくは、制御部は、踵接地時刻から拇指球接地直後の踏込動作時刻までの時間における上方加速度を時間積分した積分値と、拇指球接地直後の踏込動作時刻から立脚中期時刻までの時間における上方加速度を時間積分した積分値との比に基づいて、体重移動を示す指標を算出する。このようにすると、立脚となる足裏における体重移動を定量的に評価することができる。
【００２８】
（４）上記（１）に記載の移動能力評価装置において好ましくは、制御部は、１歩行周期における前後加速度の時間波形において、被験者の右踵接地時刻、右立脚中期時刻、左踵接地時刻、および左立脚中期時刻を探索する。制御部は、右踵接地時刻から右立脚中期時刻までの時間における左方加速度の時間波形、および左踵接地時刻から左立脚中期時刻までの右方加速度の時間波形に基づいて、左右バランスを示す指標を算出する。
【００２９】
上記によれば、踵接地時刻から立脚中期時刻までの時間における左右加速度の時間波形から、踵の接地後の被験者の体重心の左右方向の変化を定量的に評価することができる。これにより、被験者の移動時における左右バランスを評価することができる。
【００３０】
好ましくは、制御部は、右踵接地時刻から右立脚中期時刻までの時間における左方加速度を時間積分した積分値と、左踵接地時刻から左立脚中期時刻までの時間における右方加速度を時間積分した積分値との比に基づいて、左右バランスを示す指標を算出する。このようにすると、右踵接地時刻から右立脚中期時刻までの時間における左方加速度の時間波形から、右踵の接地による被験者の体重心の左方向の変化を定量的に算出することができる。また、左踵接地時刻から左立脚中期時刻までの時間における右方加速度の時間波形から、左踵の接地による被験者の体重心の右方向の変化を定量的に算出することができる。したがって、被験者の移動時における左右バランスを定量的に評価することができる。
【００３１】
（５）上記（１）に記載の移動能力評価装置において好ましくは、制御部は、前後加速度の自己相関関数に基づいて、前後バランスを示す指標を算出する。
【００３２】
上記によれば、前後加速度の自己相関関数を用いて移動時における前後加速度の時間的変化の周期性を捉えることで、被験者の移動時における前後バランスを評価することができる。これによれば、前後加速度の時間波形から被験者が特定の動作を行なっている時刻を探索して前後バランスを評価する構成に比べて、制御部における演算処理を減らすことができる。これにより、高速演算を実現することができる。言い換えれば、高速演算を実現しながら、安価なコンピュータの使用を可能とするため、装置構成を簡素化することができる。
【００３３】
好ましくは、制御部は、前後加速度の自己相関関数の原点と第１番目のピーク位置との間に位置する谷部分と、当該谷部分を２次曲線近似して得られた近似曲線との間の偏差に基づいて、前後バランスを示す指標を算出する。このようにすると、偏差の大きさから、被験者の移動時における前後バランスを定量的に評価することができる。
【００３４】
（６）上記（１）に記載の移動能力評価装置において好ましくは、制御部は、上下加速度の自己相関関数に基づいて、体重移動を示す指標を算出する。
【００３５】
上記によれば、上下加速度の自己相関関数を用いて移動時における上下加速度の時間的変化の周期性を捉えることで、被験者の移動時における体重移動を評価することができる。これによれば、上下加速度の時間波形から被験者が特定の動作を行なっている時刻を探索して体重移動を評価する構成に比べて、制御部における演算処理を減らすことができる。
【００３６】
好ましくは、制御部は、上下加速度の自己相関関数の原点での値と、第１番目のピーク位置での値との比に基づいて、体重移動を示す指標を算出する。このようにすると、上下加速度の自己相関関数から、踵接地直後および拇指球接地直後の踏込動作による体重心の位置の変化を捉えることができるため、被験者の移動時における体重移動を評価することができる。
【００３７】
（７）上記（１）に記載の移動能力評価装置において好ましくは、制御部は、前後加速度の自己相関関数および左右加速度の自己相関関数に基づいて、左右バランスを示す指標を算出する。
【００３８】
上記によれば、前後加速度の自己相関関数および左右加速度の自己相関関数を用いて、移動時における左右加速度の時間的変化の周期性を捉えることができるため、被験者の移動時における左右バランスを評価することができる。これによれば、前後加速度の時間波形から被験者が特定の動作を行なっている時刻を探索し、探索した動作の時刻で特定される時間における左右バランスの時間波形に基づいて左右バランスを評価する構成に比べて、制御部における演算処理を減らすことができる。
【００３９】
好ましくは、制御部は、前後加速度の自己相関関数の第１番目のピーク位置および第２番目のピーク位置を探索する。制御部は、左右加速度の自己相関関数において、第１番目のピーク位置に対応するピーク位置での第１の値と、第２番目のピーク位置に対応するピーク位置での第２の値とを探索する。制御部は、第１の値と第２の値との比に基づいて、左右加速度を示す指標を算出する。このようにすると、前後加速度の自己相関関数に現れる２つのピーク位置にそれぞれ対応する、左右加速度の自己相関関数の２つの値を比較することにより、被験者の移動時における体重移動を評価することができる。
【００４０】
（８）上記（１）から（７）に記載の移動能力評価装置において好ましくは、制御部は、移動能力を示す指標に基づいて、被験者に応じた運動アドバイスを判別する。
【００４１】
上記によれば、被験者の移動能力を的確に評価することができるため、被験者の移動能力を改善するのに効果的な運動アドバイスを提供することができる。運動アドバイスに従って被験者がリハビリ等を行なうことで、被験者の今後の転倒リスクの軽減に繋がる。
【００４２】
（９）上記（８）に記載の移動能力評価装置において好ましくは、制御部による評価結果および運動アドバイスの少なくとも一方を表示するように構成された表示部をさらに備える。
【００４３】
上記によれば、ユーザまたは被験者は、被験者の移動能力および運動アドバイスを容易に確認することができる。
【００４４】
（１０）本発明の一態様に係る移動能力評価システムは、被験者の腰部に装着された加速度センサと、加速度センサが出力する信号に基づいて、被験者の移動能力を評価するように構成された移動能力評価装置とを備える。移動能力評価装置は、通信部および制御部を含む。通信部は、加速度センサにより測定された、被験者の移動中における前後加速度、左右加速度および上下加速度を取得するように構成される。制御部は、通信部により取得された前後加速度、左右加速度および上下加速度の時間的変化に基づいて、移動能力を評価するように構成される。移動能力は、被験者の移動時における前後バランス、体重移動および左右バランスの少なくとも１つを含む。
【００４５】
上記によれば、被験者の移動能力を評価するための指標として、移動時における被験者の前後バランス、左右バランスおよび体重移動の少なくとも１つを用いることにより、被験者の移動能力を的確に評価することができる。これにより、被験者の転倒リスクを精度良く判定することが可能となる。
【００４６】
（１１）上記（１０）に記載の移動能力評価システムにおいて好ましくは、加速度センサは、センサ部と、信号処理回路とを含む。センサ部は、被験者の腰部に生じる前後加速度、左右加速度および上下加速度を測定するように構成される。信号処理回路は、被験者が静止した状態であるときのセンサ部の測定値を、前後加速度、左右加速度および前後加速度の零点に補正する。信号処理回路は、さらに、被験者の移動中において、１ｍｓ以上２００ｍｓ以下の周期でセンサ部の測定値を取得するように構成される。
【００４７】
上記によれば、被験者が静止した状態であるときにセンサ部に対して零点補正を行なうことで、被験者の移動時に生じる前後加速度、左右加速度および上下加速度を精度良く測定することができる。これにより、センサ部の測定値に基づいて、被験者の移動能力を的確に評価することが可能になる。
【００４８】
（１２）上記（１０）に記載の移動能力評価システムにおいて好ましくは、移動能力評価装置は、通信部により取得された前後加速度、左右加速度および上下加速度、ならびに制御部における評価結果を記憶するように構成された記憶装置をさらに含む。加速度センサは、送信部と、記憶部とを含む。送信部は、信号処理回路により取得されたセンサ部の測定値を通信部に向けて送信するように構成される。記憶部は、信号処理回路により取得されたセンサ部の測定値を保存するように構成される。信号処理回路は、移動能力評価装置からの信号に応じて、記憶装置および記憶部のいずれか一方を選択してセンサ部の測定値を保存するように構成される。
【００４９】
上記によれば、センサ部の測定値を移動能力評価装置へ送信し、移動能力評価装置内部の記憶装置に保存することにより、測定値を用いてリアルタイムで移動能力を評価することができる。あるいは、センサ部の測定値を加速度センサ内部の記憶部に蓄積しておくことで、後日、該記憶部に蓄えられた測定値を用いて、移動能力を評価することができる。あるいは、数時間（または数日間）に亘って加速度を測定し、その測定値を該記憶部に蓄えておくことで、測定値を用いて、被験者の移動能力とともに、被験者の運動の習性などを評価することができる。
【００５０】
（１３）本発明の一態様に係る移動能力評価プログラムは、コンピュータに、被験者の移動能力を評価する処理を実行させるためのプログラムである。移動能力は、被験者の移動時における前後バランス、体重移動および左右バランスの少なくとも１つを含む。移動能力評価プログラムは、被験者の腰部に装着された加速度センサにより測定された、被験者の移動中における前後加速度、左右加速度および上下加速度を取得するステップと、取得された前後加速度、左右加速度および上下加速度の時間的変化に基づいて、移動能力を評価するステップとをコンピュータに実行させる。
【００５１】
上記によれば、被験者の移動能力を評価するための指標として、移動時における被験者の前後バランス、左右バランスおよび体重移動の少なくとも１つを用いることにより、被験者の移動能力を的確に評価することができる。これにより、被験者の転倒リスクを精度良く判定することが可能となる。
【００５２】
なお、移動能力評価プログラムを記憶する記憶媒体としては、ＵＳＢ（Ｕｎｉｖｅｒｓａｋ  Ｓｅｒｉａｌ  Ｂｕｓ）メモリ、フレキシブルディスク、ＣＤ（Ｃｏｍｐａｃｔ  Ｄｉｓｃ）、ＤＶＤ、Ｂｌｕ−ｒａｙ  Ｄｉｓｃ（登録商標）、ＭＯ（Ｍａｇｎｅｔｏ−Ｏｐｔｉｃａｌ  ｄｉｓｃ）、ＳＤカード、メモリースティック（登録商標）、その他、磁気ディスク、光ディスク、光磁気ディスク、半導体メモリ、磁気テープ等のコンピュータ読取可能な記憶媒体を使用することができる。また、ＨＤＤ（Ｈａｒｄ  Ｄｉｓｃ  Ｄｒｉｖｅ）やＳＳＤ（Ｓｏｌｉｄ  Ｓｔａｔｅ  Ｄｒｉｖｅ）等、通常、システムまたは装置に固定して使用する記憶媒体を使用することもできる。
【００５３】
（１４）本発明の一態様に係る移動能力評価方法は、被験者の移動能力を評価する移動能力評価方法であって、被験者の腰部に装着された加速度センサにより測定された、被験者の移動中における前後加速度、左右加速度および上下加速度を取得するステップと、取得された前後加速度、左右加速度および上下加速度の時間的変化に基づいて、移動能力を評価するステップとを備える。移動能力は、被験者の移動時における前後バランス、体重移動および左右バランスの少なくとも１つを含む。
【００５４】
上記によれば、被験者の移動能力を的確に評価することができるため、被験者の転倒リスクを精度良く判定することが可能となる。
【００５５】
[本発明の実施形態の詳細]
＜実施の形態１＞
（移動能力評価システム１００の構成）
図１は、実施の形態１に係る移動能力評価システム１００の構成を概略的に示す図である。実施の形態１に係る移動能力評価システム１００は、被験者Ｍの移動能力を評価するためのシステムである。本願明細書において、被験者Ｍの「移動能力」とは、移動（歩行または走行）における被験者Ｍの運動能力であり、少なくともバランス能力（前後バランス、左右バランス）および体重移動能力を含む。また、本願明細書において、「前後バランス」とは、移動に伴う体重心の前後方向のバランスをいう。「左右バランス」とは、移動に伴う体重心の左右方向のバランスをいう。「体重移動」とは、移動に伴う足裏の体重移動をいう。
【００５６】
図１に示すように、移動能力評価システム１００は、加速度センサ１と、移動能力評価装置２とを備える。加速度センサ１および移動能力評価装置２は、互いに無線通信する。具体的には、加速度センサ１は、移動能力評価装置２と、Ｂｌｕｅｔｏｏｔｈ（登録商標）、無線ＬＡＮ（Ｌｏｃａｌ  Ａｒｅａ  Ｎｅｔｗｏｒｋ）規格等の近距離無線通信の規格に従って接続され、移動能力評価装置２との間でデータを送受信する。
【００５７】
加速度センサ１は、携行可能な小型の筐体を有しており、被験者Ｍの腰部に装着される。好ましくは、加速度センサ１は、被験者Ｍの体重心がある、正中線上の第３腰椎付近に装着される。例えば、加速度センサ１の筐体にはクリップ（図示せず）が設けられており、被験者Ｍが着用するベルトの腰背部中央付近に当該クリップを挟むことによって、加速度センサ１が装着される。
【００５８】
加速度センサ１は、ＭＥＭＳ（Ｍｉｃｒｏ  Ｅｌｅｃｔｒｏ  Ｍｅｃｈａｎｃａｌ  Ｓｙｓｔｅｍｓ）センサ等の３軸加速度センサである。加速度センサ１は、被験者Ｍの移動中における左右方向、上下方向および前後方向の加速度を測定する。以下の説明では、左右方向の加速度を「左右加速度」と称し、上下方向の加速度を「上下加速度」と称し、前後方向の加速度を「前後加速度」とも称する。また、被験者Ｍにとって左右方向をＸ軸、上下方向をＹ軸、前後方向をＺ軸とする。
【００５９】
加速度センサ１は、測定した３軸の加速度を測定データとして移動能力評価装置２へ出力する。なお、加速度センサ１は、被験者Ｍの移動中における３軸の加速度の変化を測定可能な装置であれば、どのような装置であってもよい。移動中における３軸の加速度の変化を正確に測定するため、被験者Ｍは裸足の状態で移動することが好ましい。
【００６０】
移動能力評価装置２は、無線通信機能を有する電子機器であって、専用に構成された装置の他、例えば、パソコン、タブレット端末、スマートフォンなどを適用することができる。移動能力評価装置２は、加速度センサ１が出力する測定データにより、被験者Ｍの移動中における前後加速度、左右加速度および上下加速度を取得する。移動能力評価装置２は、取得された前後加速度、左右加速度および上下加速度の時間的変化に基づいて、被験者Ｍの移動能力を評価する。
【００６１】
（移動能力評価システムのハードウェア構成）
図２は、実施の形態１に係る移動能力評価システム１００のハードウェア構成を概略的に示す図である。
【００６２】
図２に示すように、加速度センサ１は、センサ部１０と、ＣＰＵ（Ｃｅｎｔｒａｌ  Ｐｒｏｃｅｓｓｉｎｇ  Ｕｎｉｔ）１２と、記憶部１４と、通信部１６と、回路基板１８と、電源２０とを含む。
【００６３】
センサ部１０は、３軸加速度センサであり、被験者Ｍの腰部に生じる前後加速度、左右加速度および上下加速度を測定する。センサ部１０は、測定した加速度を示す電気信号をＣＰＵ１２へ出力する。
【００６４】
ＣＰＵ１２は、予め記憶されているプログラムを読み込んで、プログラムに含まれる命令を実行することにより、加速度センサ１の動作を制御する。ＣＰＵ１２は、センサ部１０から出力された電気信号を処理することにより、センサ部１０によって測定された加速度から測定データを生成する。
【００６５】
記憶部１４は、たとえばＲＡＭ（Ｒａｎｄｏｍ  Ａｃｃｅｓｓ  Ｍｅｍｏｒｙ）等により構成され、加速度センサ１の各種機能を設定するための設定データ、および測定データなどを記憶する。
【００６６】
通信部１６は、加速度センサ１が移動能力評価装置２と無線通信するため、図示しないアンテナ等を介して信号を送受信するための変復調処理などを行なう。具体的には、通信部１６は、チューナ、受信強度算出回路、巡回冗長検査回路、高周波回路などを含む通信モジュールである。通信部１６は、加速度センサ１が送受信する無線信号の変復調および周波数変換を行ない、受信信号をＣＰＵ１２へ与える。
【００６７】
回路基板１８は、加速度センサ１の筐体内部に収容されており、センサ部１０、ＣＰＵ１２、記憶部１４および通信部１６の各々を構成する回路部品を搭載する。
【００６８】
電源２０は、リチウムイオン電池等を含む蓄電装置である。ユーザ等により図示しない電源スイッチがオンされると、回路基板１８上に搭載される複数の回路部品に対する電力供給を開始する。
【００６９】
移動能力評価装置２は、通信部４０と、ＣＰＵ４２と、回路基板４４と、電源４６と、表示部４８と、操作受付部５０とを含む。
【００７０】
通信部４０は、移動能力評価装置２が加速度センサ１を含む他の無線機器と通信するため、アンテナ等を介して信号を送受信するための変復調処理などを行なう。通信部４０は、チューナ、受信強度算出回路、巡回冗長検査回路、高周波回路などを含む通信モジュールである。通信部４０は、移動能力評価装置２が送受信する無線信号の変復調および周波数変換を行ない、受信信号をＣＰＵ４２へ与える。
【００７１】
ＣＰＵ４２は、記憶装置６８（図４参照）に記憶されているプログラムを読み込んで、該プログラムに含まれる命令を実行することにより、移動能力評価装置２の動作を制御する。プログラムは移動能力評価プログラムを含む。ＣＰＵ４２は、移動能力評価プログラムを実行することにより、通信部４０から送信される測定データに基づいて、被験者Ｍの移動能力を評価する。ＣＰＵ４２は、さらに、移動能力の評価結果に基づいて、被験者Ｍに応じた運動アドバイスを判別する。ＣＰＵ４２の詳細については後述する。
【００７２】
操作受付部５０は、ユーザの入力操作を受け付ける。操作受付部５０は、ユーザの操作に応じて、操作内容を示す信号をＣＰＵ４２へ出力する。操作受付部５０は、表示部４８上に設けられたタッチパネルであってもよいし、キーボード等その他の物理操作キーであってもよい。
【００７３】
表示部４８は、ＣＰＵ４２の制御に応じて、画像、テキスト、音声など五感に作用するデータを表示する。表示部４８は、たとえばＬＣＤ（Ｌｉｑｕｉｄ  Ｃｒｙｓｔａｌ  Ｄｉｓｐｌａｙ）や有機ＥＬ（Ｅｌｅｃｔｒｏ−Ｌｕｍｉｎｅｓｃｅｎｃｅ）ディスプレイによって構成される。ＣＰＵ４２は、移動能力評価プログラムの実行により、通信部４０から送信される測定データ、移動能力の評価結果を示すデータ、および、運動アドバイスを示すデータを表示部４８に表示させることができる。また、ＣＰＵ４２は、これらのデータを内部の記憶装置６８に蓄積することができる。
【００７４】
（加速度センサ１の機能的構成）
図３は、実施の形態１に係る加速度センサ１の機能的構成を概略的に示す図である。図３に示すように、加速度センサ１は、記憶部２２および信号処理回路２４を含む。記憶部２２は、ＲＡＭ等の記憶装置から構成されており、プログラムおよび測定データ等を記憶する。
【００７５】
信号処理回路２４は、加速度センサ１の各部を制御する。信号処理回路２４は、記憶部２２に記憶されているプログラムに従って動作し、後述する移動能力評価を含む種々の動作を実行する。
【００７６】
具体的には、信号処理回路２４は、ノイズ除去用のフィルタおよびＡ／Ｄ（Ａｎａｌｏｇ／Ｄｉｇｉｔａｌ）コンバータを含み、センサ部１０から出力された電気信号からノイズを除去することにより、図５に示すような加速度を示す加速度信号を生成する。また、信号処理回路２４は、生成した加速度信号を所定周期でサンプリングすることにより、測定データを生成する。
【００７７】
信号処理回路２４におけるサンプリング周期は、１ｍｓ以上２００ｍｓ以下とすることが好ましい。サンプリング周期が１ｍｓより短くなると、信号処理回路２４における演算の負荷が増大するとともに、測定データを記憶するために大容量の記憶部２２が必要になるためである。また、サンプリング周期が２００ｍｓより長くなると、移動に伴う被験者の体重心の位置の変化を正確に捉えることが難しくなるためである。より好ましくは、信号処理回路２４におけるサンプリング周期は５ｍｓ程度である。信号処理回路２４は、生成した測定データを通信部１６に出力する。サンプリング周期の下限は２ｍｓ以上であることが好ましく、５ｍｓ以上であることがより好ましい。サンプリング周期の上限は１００ｍｓ以下であることが好ましく、５０ｍｓ以下であることがより好ましく、２０ｍｓ以下であることがさらに好ましい。
【００７８】
通信部１６は、無線信号受信部２６と、無線信号送信部２８と、ファイル出力部３０とを含む。無線信号受信部２６は、移動能力評価装置２から操作指示を受信し、受信した操作指示を信号処理回路２４に与える。操作指示には、信号処理回路２４により生成された測定データの保存先を指定するための指示が含まれている。
【００７９】
無線信号送信部２８は、信号処理回路２４により生成された測定データを移動能力評価装置２へ送信する。移動能力評価装置２は、無線信号送信部２８から送信されてきた測定データを受信すると、測定データを装置内部の記憶装置６８（図４参照）に記憶させる。
【００８０】
信号処理回路２４は、また、生成した測定データを記憶部１４に格納する。信号処理回路２４は、移動能力評価装置２からの操作指示に応じて（あるいは、予め定められた設定に基づいて）、加速度センサ１内部の記憶部１４および加速度センサ１外部の記憶装置（移動能力評価装置２内部の記憶装置６８）のいずれか一方を選択して、測定データを保存するように構成されている。
【００８１】
このようにすると、加速度センサ１を用いて移動能力評価を行なう場合、信号処理回路２４は、センサ部１０による測定データを、無線信号送信部２８を介してリアルタイムで移動能力評価装置２へ送信することができる。したがって、移動能力評価装置２は、受信した測定データに基づいて、リアルタイムで被験者Ｍの移動能力を評価することができる。
【００８２】
あるいは、信号処理回路２４は、測定データを記憶部１４に蓄積しておくことができる。ファイル出力部３０は、記憶部１４に蓄積されている測定データを外部の記憶媒体３に送信することができる。外部の記憶媒体３は、例えば、ＵＳＢメモリおよびメモリースティック（登録商標）などを用いることができる。
【００８３】
これによると、加速度センサ１と移動能力評価装置２とが無線通信することが難しい状況であっても、加速度センサ１が測定データを記憶部１４に蓄えておくことで、後日、記憶部１４に蓄えられた測定データを、記憶媒体３を経由して読み出すことにより、移動能力を評価することができる。または、数時間（または数日間）に亘って被験者Ｍの腰部に生じる加速度を測定し、その測定データを記憶部１４に蓄えておくことで、記憶媒体３から読み出した測定データに基づいて、被験者Ｍの移動能力に加えて、被験者Ｍの運動の習性などを評価することができる。なお、加速度センサ１は、記憶媒体３を経由することに代えて、ＵＳＢ等の有線のデータ伝送手段を経由して測定データを読み出せるように構成されていてもよい。
【００８４】
（移動能力評価装置２の機能的構成）
図４は、実施の形態１に係る移動能力評価装置２の機能的構成を概略的に示す図である。
【００８５】
図４に示すように、移動能力評価装置２において、通信部４０は、無線信号受信部６０および無線信号送信部６２を含む。無線信号受信部６０は、加速度センサ１から測定データを受信すると、受信した測定データをＣＰＵ４２に送信する。
【００８６】
ＣＰＵ４２は、制御部６４および記憶装置６８を含む。記憶装置６８は、例えば、ＲＯＭ（Ｒｅａｄ  Ｏｎｌｙ  Ｍｅｍｏｒｙ）およびＲＡＭを含む。ＲＯＭは、移動能力評価装置２を制御するためのプログラムを記憶する。該プログラムは、移動能力評価プログラムを含む。ＲＡＭは、移動能力評価装置２の各種機能を設定するためのデータ、測定データ、移動能力の評価結果を示すデータ、および、運動アドバイスを示すデータなどを記憶する。
【００８７】
制御部６４は、プロセッサから構成される。制御部６４は、記憶装置６８に記憶されるプログラムに従って動作することにより、移動能力評価装置２の動作を制御する。制御部６４は、移動能力評価プログラムに従って動作することにより、評価部７０および判別部７２としての機能を発揮する。
【００８８】
評価部７０は、無線信号受信部６０により取得された測定データに基づいて、被験者Ｍの移動能力を評価する。または、評価部７０は、記憶媒体３から読み出した測定データに基づいて、被験者Ｍの移動能力を評価する。上述したように、移動能力は、少なくとも前後バランス、左右バランスおよび体重移動を含む。本実施の形態では、これら３つの項目に対して筋力、歩行速度およびリズムを加えた、合計６項目を評価する。なお、これらの項目は必須ではなく、これらの項目以外の項目を含んでもよい。
【００８９】
評価部７０は、測定データに基づいて、被験者Ｍの移動能力を示す指標を算出する。評価部７０は、算出した指標を、例えば理想値を１０点（満点）としてスコア化する。このようにして、各指標をスコア化することによって被験者Ｍの移動能力を定量的に評価する。これにより、ユーザは、上記６項目のうちのどの項目が劣っているのかを定量的に把握することができる。
【００９０】
判別部７２は、評価部７０からの評価結果を取得するとともに、操作受付部５０から、ユーザによって入力された外部データを受け付ける。外部データには、被験者Ｍを識別する情報である被験者識別情報、およびデータ閾値リストが含まれる。被験者識別情報は、被験者Ｍの氏名、性別、年齢、身長、体重などの情報を含む。データ閾値リストは、運動アドバイスを判別する際に用いられる閾値のデータである。判別部７２は、データ閾値リストを参照することにより、被験者Ｍの移動能力の評価結果に基づいて、被験者Ｍに応じた運動アドバイスを判別する。
【００９１】
制御部６４は、測定データ、評価部７０による評価結果、および判別部７２による運動アドバイスを示すデータを表示部４８に表示させる。また制御部６４は、これらのデータを記憶装置６８に記憶する。
【００９２】
（移動能力評価システム１００の動作）
次に、実施の形態１に係る移動能力評価システム１００の動作について詳しく説明する。
【００９３】
図５は、人間の歩行周期と、歩行中の前後加速度、上下加速度および左右加速度との関係を示している。図５に示すように、人間の歩行周期は、一方の足（図６では右脚）の踵が接地してから次にこの足（右脚）の踵が接地するまでの時間をいう。地面に接して体重を支持している足を「立脚」といい、地面から離れて前に振り出される足を「遊脚」という。歩行周期は、地面に足が着いた状態である「立脚相」と、地面から足が離れた状態である「遊脚相」とから構成される。
【００９４】
立脚相は、まず遊脚となった足の踵が地面に接する状態（踵接地）で開始し、拇指球も地面に接することで足裏全体が地面に接する状態（拇指球接地）、立脚のみで体重を支持し、身体が直立した状態（立脚中期）、足裏が地面に接した状態から踵が地面から離れる状態（踵離地）を経て、拇指球が地面から離れることにより、足が地面から離れる状態（拇指球離地）で終了する。すなわち、左右の各足において、踵接地から拇指球離地までの時間が立脚相となり、拇指球離地から踵接地までの時間が遊脚相となる。
【００９５】
人間の歩行中、人間の体重心は前後方向、左右方向および上下方向に移動する。図５には、人間が平地を歩行しているときの１歩行周期における前後加速度、上下加速度および左右加速度の時間波形の一例が示される。図５に示されるように、歩行時には左右の足が交互に立脚となることで、前後方向、左右方向および上下方向の各加速度の時間波形には周期性が現われる。なお、図５以降に示す加速度の時間波形では、前方向、上方向および右方向の各々を正方向としているが、後方向、下方向および左方向の各々を正方向としてもよい。
【００９６】
本実施の形態では、左右の各足について、立脚相のうちの主に踵接地から立脚中期までの時間における加速度の時間波形に基づいて、被験者Ｍの移動能力を示す指標を算出する。これは、高齢や運動障害等により運動機能が低下すると、踵接地から立脚中期までの時間において、前後方向、左右方向および上下方向の少なくとも一方向において体重心の移動に偏りが生じることに着目したものである。
【００９７】
移動能力評価システム１００によって移動能力を評価する場合、最初に、被験者Ｍの腰部に加速度センサ１を装着した状態で加速度センサ１および移動能力評価装置２の各々の電源スイッチをオンすることにより、加速度センサ１および移動能力評価装置２を起動する。
【００９８】
移動能力評価装置２は、操作受付部５０によって評価開始の指示を示す入力操作を受け付けると、通信部４０を介して、加速度センサ１へ測定開始を指示する。加速度センサ１は、被験者Ｍが静止した状態であるときのセンサ部１０の測定値を、前後加速度、左右加速度および上下加速度の零点に補正する。これにより、被験者の移動時に生じる前後加速度、左右加速度および上下加速度を精度良く測定することができる。
【００９９】
被験者Ｍは、裸足の状態で、前方へ真っ直ぐ、所定の距離を移動する。本実施の形態では、被験者Ｍは、時速０．５ｋｍ以上５ｋｍ以下の速度で移動する場合を想定する。加速度センサ１は、被験者Ｍが移動を開始したと判断すると、被験者Ｍの移動中における前後加速度、左右加速度および上下加速度を測定し、測定データを通信部１６を介して移動能力評価装置２へ出力する。移動能力評価装置２は、加速度センサ１が出力する信号により測定データを取得する。
【０１００】
図６は、実施の形態１に係る移動能力評価システム１００により実行される移動能力評価を説明するためのフローチャートである。移動能力評価装置２は、移動能力評価プログラムを実行することにより、加速度センサ１と無線通信して図６に示す処理を実行する。図６に示すフローチャートの処理は、たとえば一定の周期で実行される。
【０１０１】
図２〜図４および図６を参照して、加速度センサ１においては、ステップＳ０１により、被験者Ｍの腰部に装着された状態で電源２０が投入されて加速度センサ１が起動すると、ステップＳ０２において、信号処理回路２４は、センサ部１０の出力信号に基づいて、被験者Ｍが静止状態であるか否かを判定する。具体的には、前後加速度、左右加速度および上下加速度の各々に有意な変化が見られない場合（例えば、各加速度の変動幅が閾値未満である場合）、信号処理回路２４は、被験者Ｍが静止状態であると判定する。
【０１０２】
被験者Ｍが静止状態であると判定されると（Ｓ０２のＹＥＳ判定時）、信号処理回路２４は、ステップＳ０３に進み、被験者Ｍが静止状態であるときのセンサ部１０の測定値を、左右加速度、上下加速度および前後加速度の零点に補正する。一方、被験者Ｍが静止状態でない場合（Ｓ０２のＮＯ判定時）、すなわち被験者Ｍが移動している場合、処理は終了する。
【０１０３】
ステップＳ０４において、信号処理回路２４は、センサ部１０の出力信号に基づいて、被験者Ｍが移動を開始したか否かを判定する。前後加速度、左右加速度および上下加速度の少なくとも１つに変化が見られる場合（例えば、少なくとも１つの加速度の変動幅が閾値より大きい場合）、信号処理回路２４は、被験者Ｍが移動を開始したと判定する。
【０１０４】
被験者Ｍが移動を開始すると（Ｓ０４のＹＥＳ判定時）、ステップＳ０５において、信号処理回路２４は、被験者Ｍの腰部に生じる上下加速度、左右加速度および前後加速度を測定する。信号処理回路２４は、センサ部１０が出力する加速度信号を測定データに変換する。一方、被験者Ｍが移動を開始していない場合（Ｓ０４のＮＯ判定時）、処理は終了する。
【０１０５】
信号処理回路２４は、ステップＳ０６において、測定データの保存先として、移動能力評価装置２の記憶装置６８および加速度センサ１の記憶部１４のいずれが指定されているかを判定する。測定データの保存先が記憶装置６８である場合、信号処理回路２４は、ステップＳ０７に進み、通信部１６（無線信号送信部２８）を介して、測定データを移動能力評価装置２へ送信する。
【０１０６】
一方、測定データの保存先が記憶部１４である場合、信号処理回路２４は、ステップＳ０８に進み、測定データを記憶部１４に記憶する。
【０１０７】
移動能力評価装置２においては、ステップＳ１１において電源４６が投入されて起動すると、ステップＳ１２において、制御部６４は、移動能力評価装置２に登録された被験者に対して既に発行したＩＤ数が、同一のアカウントに対して設定された最大許容数Ｎを超えているか否かを判定する。発行ＩＤ数が最大許容数Ｎを超えている場合（Ｓ１２のＹＥＳ判定時）、制御部６４は、ステップＳ１３に進み、最大許容数を変更（増加）するための更新処理を促す警告を発生する。警告は、例えば、表示部４８に更新処理を促すメッセージを表示する、あるいは、上記メッセージを音声で読上げることによって行なわれる。
【０１０８】
ステップＳ１４においては、制御部６４は、現時点が、ＩＤ数の最大許容数の更新期間内であるか否かを判定する。現時点が更新期間内であると判定されると（Ｓ１４のＹＥＳ判定時）、制御部６４は、被験者Ｍの移動能力評価処理の実行を許可する。現時点が更新期間内でないと判定されると（Ｓ１４のＮＯ判定時）、処理は終了する。
【０１０９】
ステップＳ１５においては、制御部６４は、操作受付部５０によって測定開始の指示を示す入力操作を受け付けたか否かを判定する。測定開始の指示を示す入力操作を受け付けると（Ｓ１５のＹＥＳ判定時）、ステップＳ１６において、通信部４０は、加速度センサ１の測定データを受信する。受信された測定データは制御部６４に送られる。
【０１１０】
ステップＳ１７において、通信部４０は、さらに、外部データを受信する。外部データには、被験者Ｍを識別する情報である被験者識別情報、およびデータ閾値リストが含まれる。被験者識別情報は、被験者Ｍの氏名、性別、年齢、身長、体重などの情報を含む。データ閾値リストは、後述するように、移動能力の評価結果に応じて被験者Ｍに応じた運動アドバイスを判別するときに用いられる。
【０１１１】
ステップＳ１８において、制御部６４は、加速度センサ１から送信される測定データに基づいて、被験者Ｍの移動能力を評価する。具体的には、制御部６４は、被験者Ｍの移動中に測定された加速度の時間波形に基づいて、被験者Ｍの移動能力を示す指標を算出する。
【０１１２】
ステップＳ１９において、制御部６４は、移動能力の評価結果を表示部４８に表示する。表示部４８における評価結果の表示例は、後に詳細に説明する。
【０１１３】
ステップＳ２０において、制御部６４は、データ閾値リストを参照することにより、評価結果に基づいて、被験者Ｍに応じた運動アドバイスを判別する。データ閾値リストには、指標ごとに、年齢別、性別などで分類された複数の閾値が登録されている。制御部６４は、データ閾値リストを参照して、被験者識別情報を基に、被験者Ｍにとって適当な閾値を設定する。
【０１１４】
続いて、制御部６４は、ステップＳ１８にて算出した指標のスコアと、設定した閾値とを比較することにより、被験者Ｍの移動能力が低下しているか否かを判定する。例えば、前後バランスを示す指標が閾値よりも低い場合、制御部６４は、前後バランス能力が低下していると判定する。制御部６４はさらに、指標と閾値との差に基づいて前後バランス能力の低下の程度を判定する。
【０１１５】
そして、制御部６４は、前後バランス能力の低下の程度に応じて、被験者Ｍの前後バランス能力を改善するための運動アドバイスを判別する。
【０１１６】
ステップＳ２１において、制御部６４は、判別した運動アドバイスを表示部４８に表示する。表示部４８における運動アドバイスの表示例は、後に詳細に説明する。
【０１１７】
なお、ステップＳ１８における評価結果、およびステップＳ２０における運動アドバイスは、表示部４８を通じてユーザに報知されるとともに、被験者Ｍの測定データと関連付けて、移動能力評価装置２の記憶装置６８に記憶される。
【０１１８】
（移動能力評価）
次に、測定データに基づいて被験者Ｍの移動能力を評価する処理について詳細に説明する。
【０１１９】
図７は、図６のステップＳ１８に示す移動能力の評価の処理手順を説明するためのフローチャートである。図７に示すように、制御部６４は、ステップＳ３１において、測定データから移動能力を示す指標を算出するための事前処理を実行する。次に、制御部６４は、測定データである３軸の加速度の時間波形（図６参照）において、特定の動作が行なわれた時刻を探索する。制御部６４は、立脚中期時刻の探索（Ｓ３２）、踵接地時刻の探索（Ｓ３３）、踵接地直後の踏込動作時刻の探索（Ｓ３４）、および拇指球接地直後の踏込動作時刻の探索（Ｓ３５）を実行する。続いて、ステップＳ３６において、制御部６４は、探索した時刻によって特定される時間における加速度の時間波形に基づいて、被験者Ｍの移動能力を示す指標を算出する。
【０１２０】
以降、図７に示されるＳ３１〜Ｓ３６の各々について詳細な動作を説明する。
（Ｓ３１：事前処理）
ステップＳ３１においては、制御部６４は、前後加速度、左右加速度および上下加速度の時間波形に対してスムージング処理を施す。これにより、加速度の時間波形に含まれる高周波成分を減衰させる。さらに、制御部６４は、スムージング処理が施された加速度の時間波形を１次微分することにより、加速度の１次微分波形を生成する。
【０１２１】
（Ｓ３２：立脚中期時刻の探索）
次に、制御部６４は、事前処理が施された加速度の時間波形から、左右の各足について、立脚中期が行なわれる時刻（立脚中期時刻）Ｍｓを探索する。探索にあたっては、最初に、立脚中期時刻Ｍｓを探索するための探索範囲を設定する。探索範囲の設定には前後加速度の時間波形および１次微分波形を用いる。
【０１２２】
図８（Ａ）は、被験者Ｍの移動時に測定された前後加速度の時間波形の一例を示している。図８（Ｂ）は、図８（Ａ）に示す前後加速度の１次微分波形を示している。図８Ｂを参照して、前後加速度の１次微分波形には複数の深い溝（以下、トラフと称する）Ｔｒが現われている。複数のトラフＴｒの各々は、前後加速度が前方向から後方向に転じる変曲点に対応している。
【０１２３】
ステップＳ３２においては、まず、前後加速度の１次微分波形において、トラフＴｒを見つけると、次に、このトラフＴｒの位置に最も近い左隣りのピークＰｆを見つける。すなわち、トラフＴｒの直前のピークＰｆを見つける。そして、任意の１つのトラフＴｒの位置から、このトラフＴｒの次のトラフＴｒの直前のピークＰｆの位置までの時間範囲を、立脚中期時刻Ｍｓの探索範囲に設定する。
【０１２４】
次に、設定された探索範囲内で立脚中期時刻Ｍｓを探索する。具体的には、図８Ａを参照して、探索範囲内で前後加速度の絶対値が最小となる時刻を探索する。図８Ａの例では、前後加速度の絶対値が最小となる時刻は、前後加速度が零となる時刻（ゼロクロス時刻）に相当する。
【０１２５】
（Ｓ３３：踵接地時刻の探索）
ステップＳ３３においては、制御部６４は、加速度の時間波形から、左右の各足について、踵接地が行なわれる時刻（踵接地時刻）ＨＣを探索する。探索にあたっては、踵接地時刻ＨＣを探索するための探索範囲を設定する。探索範囲の設定には前後加速度の時間波形および１次微分波形を用いる。
【０１２６】
図８（Ｂ）を参照して、前後加速度の１次微分波形において、トラフＴｒと、このトラフＴｒの位置に最も近い左隣りのピークＰｆ（すなわち、このトラフＴｒの直前のピーク）とを見つける。そして、任意の１つのトラフＴｒの位置から、このトラフＴｒの直前のピークＰｆの位置までの時間範囲を、踵接地時刻の探索範囲に設定する。
【０１２７】
次に、制御部６４は、設定された探索範囲内で踵接地時刻ＨＣを探索する。歩行中、踵の接地によって体重心が後方向に減速するため、前後加速度は前方向から後方向への変曲点を示す。そこで、図８（Ａ）に示す前後加速度の時間波形において、探索範囲内で前方向から後方向への変曲点となる時刻、すなわち前後加速度が最大となる時刻を探索する。
【０１２８】
（Ｓ３４：踵接地直後の踏込動作時刻の探索）
ステップＳ３４においては、制御部６４は、加速度の時間波形から、左右の各足について、踵の接地直後に踏込動作が行なわれる時刻（踵接地直後の踏込動作時刻）Ｔ１を探索する。探索にあたっては、踵接地直後の踏込動作時刻Ｔ１を探索するための探索範囲を設定する。探索範囲の設定には上下加速度の時間波形、および前後加速度の１次微分波形を用いる。
【０１２９】
図９（Ａ）は、被験者Ｍの移動時に測定された上下加速度の時間波形の一例を示している。図９（Ｂ）は、被験者Ｍの移動時に測定された前後加速度の時間波形の一例を示している。図９（Ｃ）は、図９（Ｂ）に示す前後加速度の１次微分波形を示している。ステップＳ３４では、前後加速度の１次微分波形において、トラフＴｒの位置に最も近い右隣りのピークＰｂを見つける。すなわち、トラフＴｒの直後のピークＰｂを見つける。なお、ピークＰｂは、踵接地によって後方向に減速する体重心を受け止める（すなわち、体重心を前方向に引き戻す）ことに対応している。任意の１つのトラフＴｒの位置から、このトラフＴｒの直後のピークＰｂの位置までの時間範囲を、踵接地直後の踏込動作時刻Ｔ１の探索範囲に設定する。
【０１３０】
次に、制御部６４は、設定された探索範囲内で踵接地直後の踏込動作時刻Ｔ１を探索する。歩行時の体重心は、踵の接地直後に踏み込むことによって上昇するため、上下加速度は踵接地時刻ＨＣ直後に上方向から下方向への変曲点を示す。そこで、図９（Ａ）に示す上下加速度の時間波形において、探索期間内で上方向から下方向への変曲点となる時刻、すなわち、上下加速度が最大となる時刻を探索する。
【０１３１】
（Ｓ３５：拇指球接地直後の踏込動作時刻の探索）
ステップＳ３５においては、制御部６４は、加速度の時間波形から、左右の各足について、拇指球の接地直後に踏込動作が行なわれる時刻（拇指球接地直後の踏込動作時刻）Ｔ２を探索する。探索にあたっては、拇指球接地直後の踏込動作時刻Ｔ２を探索するための探索範囲を設定する。探索範囲の設定には上下加速度の時間波形および上下加速度の１次微分波形を用いる。
【０１３２】
図１０（Ａ）は、被験者Ｍの移動時に測定された上下加速度の時間波形の一例を示している。図１０（Ｂ）は、図１０（Ａ）に示す上下加速度の１次微分波形を示している。図１０（Ｃ）は、被験者Ｍの移動時に測定された前後加速度の時間波形の一例を示している。ステップＳ３５では、上下加速度の１次微分波形において、踵接地直後の踏込動作時刻Ｔ１から立脚中期時刻Ｍｓまでの時間範囲において、ピークＰを見つける。なお、ピークＰは、歩行時の体重心が、拇指球で踏み出すことで上昇することに対応している。踵接地直後の踏込時刻Ｔ１からピークＰの位置までの時間範囲を、拇指球接地直後の踏込動作時刻Ｔ２の探索範囲に設定する。
【０１３３】
次に、制御部６４は、設定された探索範囲内で拇指球接地直後の踏込動作時刻Ｔ２を探索する。歩行時の体重心は、踵で地面を踏み込むことによって上昇した後、拇指球の接地によって下降し、拇指球で地面を踏み込むことによって再び上昇する。そのため、上下加速度は踵接地直後の踏込動作時刻Ｔ１直後に下方向から上方向への変曲点を示す。そこで、図１０（Ａ）に示す上下加速度の時間波形において、探索期間内で下方向から上方向への変曲点となる時刻、すなわち、上下加速度が最小となる時刻を探索する。
【０１３４】
（Ｓ３６：指標の算出）
ステップＳ３６においては、制御部６４は、探索した踵接地時刻ＨＣから立脚中期時刻Ｍｓまでの時間における加速度の時間波形に基づいて、被験者Ｍの移動能力を示す指標を算出する。
【０１３５】
以下、前後バランス、体重移動および左右バランスの各々を示す指標を算出する方法について説明する。
【０１３６】
（１）前後バランス
図１１は、被験者Ｍの移動時に測定された前後加速度の時間波形の一例を示している。制御部６４は、少なくとも１歩行周期における前後加速度の時間波形における、前方加速度および後方加速度の分布状況に基づいて、前後バランスを示す指標を算出する。
【０１３７】
図１１には、前後加速度の時間波形に基づいて生成された、複数の歩行周期における前後加速度のヒストグラムが示される。このヒストグラムにおいて、横軸（図中垂直方向に延びる軸）は前後加速度を示し、縦軸（図面水平方向に延びる軸）は度数を示す。
【０１３８】
被験者Ｍが正しい姿勢で移動している場合、ヒストグラムは前方加速度と後方加速度とで分布がほぼ同等となる。なお、分布が同等とは、前方加速度の分布と後方加速度の分布とが線対称の関係にあることをいう。
【０１３９】
これに対して、被験者Ｍの姿勢が前傾している場合、体重心が前方に寄っているため、ヒストグラムでは、前方加速度の度数が後方加速度の度数よりも大きくなる傾向にある。一方、被験者Ｍの姿勢が後傾している場合、体重心が後方に寄っているため、ヒストグラムでは、後方加速度の度数が前方加速度の度数よりも大きくなる傾向にある。
【０１４０】
制御部６４は、ヒストグラムについて、前方加速度の度数を足し合わせた合計値ΣＡＦと、後方加速度の度数を足し合わせた合計値ΣＡＢとを算出する。
【０１４１】
被験者Ｍが正しい姿勢で移動している場合、合計値ΣＡＦと合計値ΣＡＢとは等しくなるため、比ΣＡＦ／ΣＡＢが１に近くなる。なお、本明細書中において、２つの値が等しいとは、２つの値が一致する場合と、２つの値が完全に同一ではないがその差が十分に小さい場合との両方を包含する概念として定義される。
【０１４２】
これに対して、姿勢が前傾している場合は、合計値ΣＡＦが大きくなるため、比ΣＡＦ／ΣＡＢが１より大きい値となる。一方、姿勢が後傾している場合は、合計値ΣＡＢが大きくなるため、比ΣＡＦ／ΣＡＢが１より小さい値となる。制御部６４は、ΣＡＦ／ΣＡＢ＝１を理想値（１０点）として、算出した比ΣＡＦ／ΣＡＢをスコア化する。
【０１４３】
（２）体重移動
図１２（Ａ）〜（Ｃ）は、被験者Ｍの移動時に測定された上下加速度、前後加速度および左右加速度の時間波形の一例を示している。制御部６４は、一方の足について、踵接地時刻ＨＣから立脚中期時刻Ｍｓまでの時間における上下加速度の時間波形に基づいて、該一方の足裏の体重移動を示す指標を算出する。
【０１４４】
図１２（Ａ）に示すように、踵接地時刻ＨＣから立脚中期時刻Ｍｓまでの時間において、上下加速度の時間波形には２つのピークが現れる。１つ目のピークは、踵接地直後の踏込動作時刻Ｔ１に現れる。２つ目のピークは、拇指球接地直後の踏込動作時刻Ｔ２の直後に現れる。これは、踵の接地後に踵で地面を踏み込むことによって体重心が上昇し、続いて、拇指球の接地により体重心が下降し、拇指球で地面を踏み込むことによって体重心が再び上昇するためである。
【０１４５】
しかしながら、筋力などの運動機能が低下すると、拇指球で地面を踏み込む動作が難しくなる場合がある。その結果、上下加速度の時間波形においては、２つ目のピークの高さが低くなる、もしくは、２つ目のピークが全く現れなくなる。
【０１４６】
制御部６４は、踵接地時刻ＨＣから拇指球接地直後の踏込動作時刻Ｔ２までの時間における上方加速度を時間積分した積分値Ｓ１を算出する。制御部６４は、さらに、拇指球接地直後の踏込動作時刻Ｔ２から立脚中期時刻Ｍｓまでの時間における上方加速度を時間積分した積分値Ｓ２を算出する。そして、制御部６４は、積分値Ｓ１と積分値Ｓ２との比（Ｓ２／Ｓ１）に基づいて、体重移動を示す指標を算出する。
【０１４７】
運動機能が正常であるときには、積分値Ｓ１と積分値Ｓ２とが等しいため、比Ｓ２／Ｓ１は１に近い値となる。しかしながら、運動機能が低下すると、上述したように２つ目のピークが低くなる、もしくは無くなるため、積分値Ｓ２の値が小さくなる。その結果、比Ｓ２／Ｓ１は、正常時の値よりも小さい値となる。制御部６４は、比Ｓ２／Ｓ１＝１を理想値（１０点）として、算出した比Ｓ２／Ｓ１をスコア化する。
【０１４８】
（３）左右バランス
図１２（Ｃ）に示すように、左右加速度の時間波形には、踵接地時刻ＨＣの直後に、ピークが現れる。これは、歩行時の体重心は、右踵の接地によって左方向に移動し、左踵の接地によって右方向に移動するためである。すなわち、右踵が接地した時刻ＨＣ（以下、右踵接地時刻という）直後には左方向にピークが現れ、左踵が接地した時刻ＨＣ（以下、左踵接地時刻という）直後には右方向にピークが現れる。
【０１４９】
正しい姿勢で移動している場合、左方向のピークと右方向のピークとは等しい高さとなる。一方、身体機能が低下することで姿勢が崩れると、体重心が左右方向のいずれかに偏ってしまうため、左右方向の一方のピークが他方のピークに比べて低くなる。すなわち、ピークが左右で不均等になる。
【０１５０】
制御部６４は、右踵接地時刻ＨＣから右立脚中期時刻Ｍｓまでの時間における左方加速度の時間波形、および左踵接地時刻ＨＣから左立脚中期時刻Ｍｓまでの右方加速度の時間波形に基づいて、左右バランスを示す指標を算出する。具体的には、制御部６４は、右踵接地時刻ＨＣから右立脚中期時刻Ｍｓまでの時間における左方加速度を時間積分した積分値Ｓｒを算出する。制御部６４は、また、左踵接地時刻ＨＣから左立脚中期時刻Ｍｓまでの時間における右方加速度を時間積分した積分値Ｓｌを算出する。そして、制御部６４は、積分値Ｓｒと積分値Ｓｌとの比（Ｓｒ／Ｓｌ）に基づいて、左右バランスを示す指標を算出する。
【０１５１】
正しい姿勢で移動している場合、積分値Ｓｒと積分値Ｓｌとは等しいため、比Ｓｒ／Ｓｌは１に近い値を示す。一方、体重心が左寄りに傾いていると、右踵の接地時に体重心が左方向に移動し、積分値Ｓｒが大きくなるため、比Ｓｒ／Ｓｌは１より大きい値となる。また、体重心が右寄りに傾いていると、左踵の接地時に体重心が右方向に移動し、積分値Ｓｌが大きくなるため、比Ｓｒ／Ｓｌは１より小さい値となる。制御部６４は、比Ｓｒ／Ｓｌ＝１を理想値（１０点）として、算出した比Ｓｒ／Ｓｌをスコア化する。
【０１５２】
（表示部４８の表示例）
次に、移動能力評価装置２における表示部４８の表示例を説明する。
【０１５３】
図１３は、制御部６４が被験者Ｍの移動能力を評価した結果を表示部４８に表示する画面の例を示す図である。
【０１５４】
図１３に示すように、表示部４８の画面には、移動能力評価装置２にログインしている被験者Ｍの識別情報が表示される。例えば、被験者Ｍの氏名「ＸＸＸ」が表示される。
【０１５５】
表示部４８には、さらに、被験者Ｍの移動能力の評価結果が表示される。図１３の例では、被験者Ｍの移動能力の評価結果がレーダーチャート形式のグラフで表示されている。グラフには、移動能力の項目として、筋力、左右、前後、足裏、リズム、速度の６項目が表示されている。なお、「左右」は左右バランスを示し、「前後」は前後バランスを示し、「足裏」は体重移動を示す。「筋力」は少なくとも下肢筋力を含む動作の大きさや状態を示し、「リズム」は歩調を示し、「速度」は歩行速度を示す。
【０１５６】
グラフには、項目ごとに、理想値を１０点としたときのスコアが表示されている。このようにすると、ユーザまたは被験者Ｍは、表示部４８の画面を見ることで、どの項目がどの程度劣っているのかを定量的に知ることができる。
【０１５７】
なお、表示部４８に表示されるグラフの形式は、項目ごとのスコアが直感的に分かるようなものであることが好ましい。例えば、項目ごとのスコアを表す棒グラフなどであってもよい。
【０１５８】
さらに、図示は省略するが、図１３のグラフに対して、過去の評価結果を示すグラフを併せて表示してもよい。このようすると、過去の評価からどの項目がどの程度低下したか、どの項目がどの程度改善したかを定量的に知ることができる。あるいは、図１３のグラフに対して、被験者Ｍの年代での目標値または平均値を併せて表示してもよい。その他、外部データ（年齢、性別など）の少なくとも一部について共通の特徴を持つ母集団の目標値または平均値を併せて表示してもよい。このようにすると、目標値または平均値に対して、どの項目がどの程度劣っているのかを定量的に知ることができる。このような表示がなされることで、被験者Ｍの移動能力向上への意欲を喚起させることに繋がる。
【０１５９】
図１４は、制御部６４が評価結果に基づいて判別した運動アドバイスを表示部４８に表示する画面の例を示す図である。
【０１６０】
図１４に示すように、表示部４８の画面には、移動能力評価装置２にログインしている被験者Ｍの識別情報（例えば、被験者Ｍの氏名）とともに、被験者Ｍに応じた運動アドバイスが表示される。
【０１６１】
表示部４８には、評価された移動能力に応じた運動アドバイスが表示されている。図１４の例は、図１３に示す評価結果に基づいて判別された運動アドバイスを示している。図１４では、運動アドバイスとして、項目ごとに、普段の歩行での注意事項が文章で表示されている。該注意事項を絵を用いて説明するようにしてもよい。これにより、正しい姿勢および正しい体重移動で移動できるように被験者Ｍに注意を促すことができる。
【０１６２】
実施の形態１によれば、被験者の移動能力を評価するための指標として、移動時における被験者の前後バランス、左右バランスおよび体重移動の少なくとも１つを用いることにより、被験者の移動能力を的確に評価することができる。これにより、被験者の転倒リスクを精度良く判定することが可能となる。
【０１６３】
＜実施の形態２＞
実施の形態１では、加速度センサ１によって測定された加速度の時間波形において、立脚中期、踵接地および拇指球接地などの特定の動作を行なっている時刻を探索し、その探索した時刻によって特定される時間における加速度の時間波形に基づいて、被験者Ｍの移動能力を示す指標を算出する構成について説明した。しかしながら、特定の動作の時刻の探索を行なわずに指標を算出することも可能である。
【０１６４】
実施の形態２では、その一例として、加速度の自己相関関数に基づいて、被験者Ｍの移動能力を示す指標を算出する構成について説明する。なお、実施の形態２に係る移動能力評価システムの構成は、図１〜図４に示す実施の形態１に係る移動能力評価システム１００の構成と同一であるので、説明を省略する。以下、実施の形態２に係る移動能力評価装置２の動作について説明する。
【０１６５】
（移動能力評価システム１００の動作）
実施の形態２に係る移動能力評価システム１００は、基本的に図６に示した移動能力評価処理を実行する。実施の形態２に従う移動能力評価処理は、実施の形態１に従う移動能力評価処理と比較して、ステップＳ１８に示す移動能力の評価の処理手順が異なる。
【０１６６】
図１５は、図６のステップＳ１８に示す移動能力の評価の処理手順を説明するためのフローチャートである。
【０１６７】
図１５を参照して、ステップＳ４１において、移動能力評価装置２の制御部６４は、左右加速度、上下加速度および前後加速度の各々について、自己相関関数を算出する。以下の説明では、左右加速度の自己相関関数をＡＣＦ＿Ｘと表記し、上下加速度の自己相関関数をＡＣＦ＿Ｙと表記し、前後加速度の自己相関関数をＡＣＦ＿Ｚと表記する。
【０１６８】
ステップＳ４２において、制御部６４は、自己相関関数ＡＣＦ＿Ｘ，ＡＣＦ＿Ｙ，ＡＣＦ＿Ｚの各々について、特徴となるピーク位置を探索する。
【０１６９】
ステップＳ４３において、制御部６４は、探索したピーク位置を用いて、被験者Ｍの移動能力を示す指標を算出する。
【０１７０】
以下、加速度の自己相関関数に基づいて、前後バランス、体重移動および左右バランスの各々を示す指標を算出する方法について説明する。
【０１７１】
（１）前後バランス
図１６（Ａ）は、被験者Ｍの移動時に測定された前後加速度の時間波形の一例を示している。図１６（Ｂ）は、図１６（Ａ）に示す前後加速度の自己相関関数ＡＣＦ＿Ｚ（τ）を示している。τは遅れ時間を表す変数である。
【０１７２】
図１６（Ｂ）に示すように、自己相関関数ＡＣＦ＿Ｚには、原点（τ＝０）を起点として周期的にピークが現われる。隣り合う２つのピークの間隔は、前後加速度の時間的変化の周期性を反映している。
【０１７３】
図５で説明した歩行周期において、立脚中期の前後は、人間は立脚となる足のみで前方に進んでいる。そのため、立脚中期の前後における前後加速度の時間波形には、片足で体重心を支持している状態でのバランスの不安定さが反映される。
【０１７４】
詳細には、片足状態でスムーズに体重移動ができていれば、立脚中期の前後における前後加速度の時間波形が滑らかになる。この場合、自己相関関数ＡＣＦ＿Ｚにおいて、原点（τ＝０）と第１番目のピーク位置との間に位置する谷部分は、２次曲線（図中の破線ｋ１）で近似することができる。
【０１７５】
一方、片足状態で体重心がふらつき、スムーズに体重移動ができない場合には、立脚中期の前後における前後加速度の時間波形が乱れてしまう。この場合、自己相関関数ＡＣＦ＿Ｚにおいて、原点と第１番目のピーク位置との間に位置する谷部分は、その底が平坦に近づく。その結果、谷部分と２次曲線ｋ１との間にずれが生じる。
【０１７６】
このような事象に基づき、制御部６４は、前後加速度の自己相関関数ＡＣＦ＿Ｚに基づいて、前後バランスを示す指標を算出する。具体的には、制御部６４は、自己相関関数ＡＣＦ＿Ｚの原点と第１番目のピーク位置との間に位置する谷部分と、当該谷部分を２次曲線近似して得られた近似曲線ｋ１との間の偏差に基づいて、前後バランスを示す指標を算出する。例えば、制御部６４は、谷部分での極小値および近似曲線ｋ１の極小値を抽出し、２つの極小値の差が所定値となるときを理想値（１０点）として、該差をスコア化する。
【０１７７】
（２）体重移動
図１７（Ａ）は、被験者Ｍの移動時に測定された上下加速度の時間波形の一例を示している。図１７（Ｂ）は、図１７（Ａ）に示す上下加速度の自己相関関数ＡＣＦ＿Ｙを示している。
【０１７８】
図１２で説明したように、運動機能が正常であるとき、踵接地時刻から立脚中期時刻までの時間において、上下加速度の時間波形には２つのピークが現れる（図中の黒三角印に相当）。１つ目のピークは、踵接地直後の踏込動作時刻に現れる。２つ目のピークは、拇指球接地直後の踏込動作時刻の直後に現れる。
【０１７９】
上下加速度の自己相関関数ＡＣＦ＿Ｙにおいては、上記２つのピークに起因して、歩行周期よりも十分に短い遅れ時間（τ＝ｔ）において第１番目のピークが現われる。原点（τ＝０）での自己相関関数ＡＣＦ＿Ｙの値をＨ０とし、第１番目のピーク位置での自己相関関数ＡＣＦ＿Ｙの値をＨ１とする。
【０１８０】
一方、運動機能が低下すると、上下加速度の時間波形において２つ目のピークの高さが低くなる、もしくは、２つ目のピークが全く現れなくなる。これにより、自己相関関数ＡＣＦ＿Ｙでは、第１番目のピークの高さが低くなる、または、第１番目のピークが現われなくなる。
【０１８１】
このような事象に基づき、制御部６４は、上下加速度の自己相関関数ＡＣＦ＿Ｙに基づいて、体重移動を示す指標を算出する。具体的には、制御部６４は、自己相関関数ＡＣＦ＿Ｙの原点での値Ｈ０と、第１番目のピーク位置での値Ｈ１との比（Ｈ１／Ｈ０）に基づいて、体重移動を示す指標を算出する。運動機能が低下すると、Ｈ１が小さくなるため、比Ｈ１／Ｈ０も小さくなる。制御部６４は、運動機能が正常であるときの比Ｈ１／Ｈ０２を理想値（１０点）として、比Ｈ１／Ｈ０をスコア化する。
【０１８２】
（３）左右バランス
図１８（Ａ）は、被験者Ｍの移動時に測定された左右加速度の時間波形の一例を示している。図１８（Ｂ）は、図１６（Ａ）に示す前後加速度の自己相関関数ＡＣＦ＿Ｚを示している。図１８（Ｃ）は、図１８（Ａ）に示す左右加速度の自己相関関数ＡＣＦ＿Ｘを示している。
【０１８３】
図１６で説明したように、前後加速度の自己相関関数ＡＣＦ＿Ｚには、前後加速度の時間的変化の周期性を反映して、複数のピークが周期的に現われる。
【０１８４】
図１８（Ａ）に示すように、左右加速度の時間波形には、左右の足が交互に立脚となることによって、歩行周期の半周期ごとに、右方向のピークおよび左方向のピークが交互に現われる。なお、正しい姿勢で移動していれば、右方向のピークと左方向のピークとは等しい高さとなる。
【０１８５】
図１８（Ｃ）に示すように、左右加速度の自己相関関数ＡＣＦ＿Ｘには、正方向のピークおよび負方向のピークが交互に現われる。正しい姿勢で移動している場合、自己相関関数ＡＣＦ＿Ｘには、自己相関関数ＡＣＦ＿Ｚのピーク位置と等しい位置に、正方向のピークおよび負方向のピークが交互に現われる。正方向のピークの値をＨｐとし、負方向のピークの値をＨｎとする。
【０１８６】
このような事象に基づき、制御部６４は、前後加速度の自己相関関数ＡＣＦ＿Ｚおよび左右加速度の自己相関関数ＡＣＦ＿Ｘに基づいて、左右バランスを示す指標を算出する。具体的には、制御部６４は、最初に、自己相関関数ＡＣＦ＿Ｚの第１番目のピーク位置および第２番目のピーク位置を探索する。次に、制御部６４は、自己相関関数ＡＣＦ＿Ｘにおいて、自己相関関数ＡＣＦ＿Ｚの第１番目のピーク位置に対応するピーク位置での値Ｈｎを探索する。制御部６４は、また、自己相関関数ＡＣＦ＿Ｘにおいて、自己相関関数ＡＣＦ＿Ｚの第２番目のピーク位置に対応するピーク位置での値Ｈｐを探索する。制御部６４は、探索した値Ｈｎおよび値Ｈｐの絶対値の比（｜Ｈｐ｜／｜Ｈｎ｜）に基づいて、左右バランスを示す指標を算出する。
【０１８７】
正しい姿勢で移動している場合、値Ｈｎと値Ｈｐとは絶対値が等しいため、比｜Ｈｐ｜／｜Ｈｎ｜は１に近い値を示す。一方、体重心が左寄りに傾いていると、値Ｈｎが大きくなるため、比｜Ｈｐ｜／｜Ｈｎ｜は１より小さい値となる。また、体重心が右寄りに傾いていると、値Ｈｐが大きくなるため、比｜Ｈｐ｜／｜Ｈｎ｜が１より大きい値となる。制御部６４は、比｜Ｈｐ｜／｜Ｈｎ｜＝１を理想値（１０点）として、算出した比｜Ｈｐ｜／｜Ｈｎ｜をスコア化する。
【０１８８】
実施の形態２によれば、実施の形態１と同様に、被験者Ｍの移動能力を評価するための指標として、移動時における被験者の前後バランス、左右バランスおよび体重移動の少なくとも１つを用いることにより、被験者の移動能力を的確に評価することができる。これにより、被験者の転倒リスクを精度良く判定することが可能となる。
【０１８９】
実施の形態２では、さらに、加速度の自己相関関数から移動時における加速度の時間的変化の周期性を捉えることで、被験者の移動能力を評価することができる。これによれば、実施の形態１で説明した、加速度の時間波形から被験者が特定の動作を行なっている時刻を探索して移動能力を評価する構成に比べて、移動能力評価装置の制御部が実行する演算処理を減らすことができる。これにより、高速演算を実現することができる。言い換えれば、高速演算を実現しながら、安価なコンピュータの使用を可能とするため、装置構成を簡素化することができる。
【０１９０】
＜移動能力評価システムの構成例＞
上述した実施の形態１および２に係る移動能力評価システム１００は、専用のシステムによらず、通常のコンピュータシステムを用いても実現可能である。例えば、上述した移動能力評価処理を実行するためのプログラム（移動能力評価プログラム）をコンピュータ読取可能な記録媒体に格納して配布し、該プログラムをコンピュータにインストールして、移動能力評価処理を実行することによって移動能力評価システム１００を構成してもよい。または、インターネット等のネットワーク上のサーバ装置に該プログラムを格納しておき、コンピュータにダウンロードできるようにしてもよい。
【０１９１】
図１９は、本発明の一態様に係る移動能力評価システム１００の他の構成例を示す図である。図１９に示すように、変更例に係る移動能力評価システム１００は、加速度センサ１と、通信装置４と、サーバ８とを備える。サーバ８はネットワーク６に接続されている。
【０１９２】
通信装置４は、被験者Ｍが使用する端末であり、例えば、スマートフォンである。加速度センサ１および通信装置４は、互いに無線通信する。加速度センサ１と通信装置４とは、Ｂｌｕｅｔｏｏｔｈ（登録商標）等の近距離無線通信の規格に従って接続される。
【０１９３】
サーバ８は、通信装置４と通信することにより、加速度センサ１の測定データをデータベースとして保持する。サーバ８は、図示しない記憶部および制御部を含む。サーバ８の記憶部は、フラッシュメモリ、ＲＡＭ等により構成され、サーバ８が使用するプログラムおよび各種データを蓄積する。プログラムには、移動能力評価プログラムが含まれる。各種データには、登録されている被験者を管理するためのデータ、各被験者について取得される測定データ、データ閾値リストなどが含まれる。
【０１９４】
サーバ８の制御部は、記憶部に記憶される被験者の測定データに基づいて、被験者の移動能力を評価し、評価結果を通信装置４へ送信する。制御部は、さらに、評価結果に基づいて、被験者に応じた運動アドバイスを判別し、判別した運動アドバイスを通信装置４へ送信する。通信装置４は、サーバ８から送信される移動能力の評価結果および運動アドバイスを表示部に表示させる。
【０１９５】
今回開示された実施の形態はすべての点で例示であって、制限的なものではないと考えられるべきである。本発明の範囲は上記した実施の形態ではなく請求の範囲によって示され、請求の範囲と均等の意味、および範囲内でのすべての変更が含まれることが意図される。
【符号の説明】
【０１９６】
１  加速度センサ、２  移動能力評価装置、３  記憶媒体、４  通信装置、６  ネットワーク、８  サーバ、１０  センサ部、１２，４２  ＣＰＵ、１４，２２  記憶部、１６，４０  通信部、１８，４４  回路基板、２０，４６  電源、２４  信号処理回路、２６，６０  無線信号受信部、２８，６２  無線信号送信部、３０  ファイル出力部、４８  表示部、５０  操作受付部、６４  制御装置、６８  記憶装置、７０  評価部、７２  判別部、１００  移動能力評価システム、Ｍ  被験者。
【図１】
2018051583.tif 000003
【図２】
2018051583.tif 000004
【図３】
2018051583.tif 000005
【図４】
2018051583.tif 000006
【図５】
2018051583.tif 000007
【図６】
2018051583.tif 000008
【図７】
2018051583.tif 000009
【図８】
2018051583.tif 000010
【図９】
2018051583.tif 000011
【図１０】
2018051583.tif 000012
【図１１】
2018051583.tif 000013
【図１２】
2018051583.tif 000014
【図１３】
2018051583.tif 000015
【図１４】
2018051583.tif 000016
【図１５】
2018051583.tif 000017
【図１６】
2018051583.tif 000018
【図１７】
2018051583.tif 000019
【図１８】
2018051583.tif 000020
【図１９】
2018051583.tif 000021
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）少なくとも１歩行周期における前記前後加速度の時間波形における、前方加速度および後方加速度の分布状況に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
のうちの少なくとも１つを実行する、移動能力評価装置。
【請求項２】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）前記前後加速度の自己相関関数の遅れ時間波形に基づいた、前記前後バランスを示す指標の算出、
（ｂ）前記上下加速度の自己相関関数の遅れ時間波形に基づいた、前記体重移動を示す指標の算出、
（ｃ）前記左右加速度の自己相関関数の遅れ時間波形および前記前後加速度の自己相関関数の遅れ時間波形に基づいた、前記左右バランスを示す指標の算出、
のうちの少なくとも１つを実行する、移動能力評価装置。
【請求項３】
前記制御部は、少なくとも１歩行周期における前記前後加速度のヒストグラムにおける、前記前方加速度の度数の合計値と、前記後方加速度の度数の合計値との比に基づいて、前記前後バランスを示す指標を算出する、請求項１に記載の移動能力評価装置。
【請求項４】
前記制御部は、さらに、前記踵接地時刻から前記立脚中期時刻までの時間における前記上下加速度の時間波形における、踵接地直後の踏込動作時刻および拇指球接地直後の踏込動作時刻を探索し、
前記踵接地直後の踏込動作時刻および前記拇指球接地直後の踏込動作時刻付近の前記上下加速度の時間波形に基づいて、前記一方の足における前記体重移動を示す指標を算出する、請求項１に記載の移動能力評価装置。
【請求項５】
前記制御部は、前記右踵接地時刻から前記右立脚中期時刻までの時間における左方加速度の時間波形を時間積分した積分値と、前記左踵接地時刻から前記左立脚中期時刻までの右方加速度の時間波形を時間積分した積分値との比に基づいて、前記左右バランスを示す指標を算出する、請求項１に記載の移動能力評価装置。
【請求項６】
前記制御部は、前記前後加速度の自己相関関数の原点と第１番目のピーク位置との間に位置する谷部分と、当該谷部分を２次曲線近似して得られた近似曲線との間の偏差に基づいて、前記前後バランスを示す指標を算出する、請求項２に記載の移動能力評価装置。
【請求項７】
前記制御部は、前記上下加速度の自己相関関数の原点での値と、第１番目のピーク位置での値との比に基づいて、前記体重移動を示す指標を算出する、請求項２に記載の移動能力評価装置。
【請求項８】
前記制御部は、
前記前後加速度の自己相関関数の第１番目のピーク位置および第２番目のピーク位置を探索し、
前記左右加速度の自己相関関数において、前記第１番目のピーク位置に対応するピーク位置での第１の値と、前記第２番目のピーク位置に対応するピーク位置での第２の値とを探索し、
前記第１の値と前記第２の値との比に基づいて、前記左右加速度を示す指標を算出する、請求項２に記載の移動能力評価装置。
【請求項９】
前記制御部は、前記移動能力を示す指標に基づいて、前記被験者に応じた運動アドバイスを判別する、請求項１から請求項８のいずれか１項に記載の移動能力評価装置。
【請求項１０】
前記制御部による評価結果および前記運動アドバイスの少なくとも一方を表示するように構成された表示部をさらに備える、請求項９に記載の移動能力評価装置。
【請求項１１】
被験者の腰部に装着された加速度センサと、
前記加速度センサが出力する信号に基づいて、前記被験者の移動能力を評価するように構成された移動能力評価装置とを備え、
前記移動能力評価装置は、
前記加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを含み、
前記移動能力は、前記被験者の移動時における前後バランス、体重移動および左右バランスの少なくとも１つを含み、
前記制御部は、前記移動能力に対応した以下の
（ａ）少なくとも１歩行周期における前記前後加速度の時間波形における、前方加速度および後方加速度の分布状況に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
のうちの少なくとも１つを実行する、移動能力評価システム。
【請求項１２】
前記加速度センサは、
前記被験者の前記腰部に生じる前記前後加速度、前記左右加速度および前記上下加速度を測定するように構成されたセンサ部と、
前記被験者が静止した状態であるときの前記センサ部の測定値を、前記前後加速度、前記左右加速度および前記前後加速度の零点に補正するともに、前記被験者の移動中において、１ｍｓ以上２００ｍｓ以下の周期で前記センサ部の測定値を取得するように構成された信号処理回路とを含む、請求項１１に記載の移動能力評価システム。
【請求項１３】
前記移動能力評価装置は、前記通信部により取得された前記前後加速度、前記左右加速度および前記上下加速度、ならびに前記制御部における評価結果を記憶するように構成された記憶装置をさらに含み、
前記加速度センサは、
前記信号処理回路により取得された前記センサ部の測定値を前記通信部に向けて送信するように構成された送信部と、
前記信号処理回路により取得された前記センサ部の測定値を保存するように構成された記憶部とを含み、
前記信号処理回路は、前記移動能力評価装置からの信号に応じて、前記記憶装置および前記記憶部のいずれか一方を選択して前記センサ部の測定値を保存する、請求項１２に記載の移動能力評価システム。
【請求項１４】
コンピュータに、被験者の移動能力を評価する処理を実行させるためのプログラムであって、
前記移動能力は、前記被験者の移動時における前後バランス、体重移動および左右バランスの少なくとも１つを含み、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力を評価するステップでは、前記移動能力に対応した以下の
（ａ）少なくとも１歩行周期における前記前後加速度の時間波形における、前方加速度および後方加速度の分布状況に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
のうちの少なくとも１つを前記コンピュータに実行させる、移動能力評価プログラム。
【請求項１５】
被験者の移動能力を評価する移動能力評価方法であって、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力は、前記被験者の移動時における前後バランス、体重移動および左右バランスの少なくとも１つを含み、
前記移動能力を評価するステップでは、前記移動能力に対応した以下の
（ａ）少なくとも１歩行周期における前記前後加速度の時間波形における、前方加速度および後方加速度の分布状況に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
のうちの少なくとも１つを実行する、移動能力評価方法。
【請求項１６】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）少なくとも１歩行周期における前後加速度の時間波形における、前方加速度および後方加速度の分布状況に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形に基づいた、前記一方の足における前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形に基づいた、前記左右バランスを示す指標の算出、
を実行する、移動能力評価装置。
【請求項１７】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）前記前後加速度の自己相関関数の遅れ時間波形に基づいた、前記前後バランスを示す指標の算出、
（ｂ）前記上下加速度の自己相関関数の遅れ時間波形に基づいた、前記体重移動を示す指標の算出、
（ｃ）前記左右加速度の自己相関関数の遅れ時間波形および前記前後加速度の自己相関関数の遅れ時間波形に基づいた、前記左右バランスを示す指標の算出、
を実行する、移動能力評価装置。
【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）少なくとも１歩行周期における前記前後加速度の時間波形における、前方加速度および後方加速度の分布の度数に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形を用いた、前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形を用いた、前記左右バランスを示す指標の算出、
のうちの少なくとも１つを実行する、移動能力評価装置。
【請求項２】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスの少なくとも１つを含み、
前記制御部は、前記移動能力に対応した以下の
（ａ）前記前後加速度の自己相関関数の遅れ時間波形を用いた、前記前後バランスを示す指標の算出、
（ｂ）前記上下加速度の自己相関関数の遅れ時間波形を用いた、前記体重移動を示す指標の算出、
（ｃ）前記左右加速度の自己相関関数の遅れ時間波形および前記前後加速度の自己相関関数の遅れ時間波形を用いた、前記左右バランスを示す指標の算出、
のうちの少なくとも１つを実行する、移動能力評価装置。
【請求項３】
前記制御部は、少なくとも前記前後バランスを示す指標を算出し、
前記制御部は、少なくとも１歩行周期における前記前後加速度のヒストグラムにおける、前記前方加速度の度数の合計値と、前記後方加速度の度数の合計値との比に基づいて、前記前後バランスを示す指標を算出する、請求項１に記載の移動能力評価装置。
【請求項４】
前記制御部は、少なくとも前記体重移動を示す指標を算出し、
前記制御部は、さらに、前記踵接地時刻から前記立脚中期時刻までの時間における前記上下加速度の時間波形における、踵接地直後の踏込動作時刻および拇指球接地直後の踏込動作時刻を探索し、
前記踵接地直後の踏込動作時刻および前記拇指球接地直後の踏込動作時刻付近の前記上下加速度の時間波形に基づいて、前記一方の足における前記体重移動を示す指標を算出する、請求項１に記載の移動能力評価装置。
【請求項５】
前記制御部は、少なくとも前記左右バランスを示す指標を算出し、
前記制御部は、前記右踵接地時刻から前記右立脚中期時刻までの時間における左方加速度の時間波形を時間積分した積分値と、前記左踵接地時刻から前記左立脚中期時刻までの右方加速度の時間波形を時間積分した積分値との比に基づいて、前記左右バランスを示す指標を算出する、請求項１に記載の移動能力評価装置。
【請求項６】
前記制御部は、少なくとも前記前後バランスを示す指標を算出し、
前記制御部は、前記前後加速度の自己相関関数の原点と第１番目のピーク位置との間に位置する谷部分と、当該谷部分を２次曲線近似して得られた近似曲線との間の偏差に基づいて、前記前後バランスを示す指標を算出する、請求項２に記載の移動能力評価装置。
【請求項７】
前記制御部は、少なくとも前記体重移動を示す指標を算出し、
前記制御部は、前記上下加速度の自己相関関数の原点での値と、第１番目のピーク位置での値との比に基づいて、前記体重移動を示す指標を算出する、請求項２に記載の移動能力評価装置。
【請求項８】
前記制御部は、少なくとも前記左右バランスを示す指標を算出し、
前記制御部は、前記前後加速度の自己相関関数の第１番目のピーク位置および第２番目のピーク位置を探索し、
前記左右加速度の自己相関関数において、前記第１番目のピーク位置に対応するピーク位置での第１の値と、前記第２番目のピーク位置に対応するピーク位置での第２の値とを探索し、
前記第１の値と前記第２の値との比に基づいて、前記左右バランスを示す指標を算出する、請求項２に記載の移動能力評価装置。
【請求項９】
前記制御部は、前記移動能力を示す指標に基づいて、前記被験者に応じた運動アドバイスを判別する、請求項１から請求項８のいずれか１項に記載の移動能力評価装置。
【請求項１０】
前記制御部による評価結果および前記運動アドバイスの少なくとも一方を表示するように構成された表示部をさらに備える、請求項９に記載の移動能力評価装置。
【請求項１１】
被験者の腰部に装着された加速度センサと、
前記加速度センサが出力する信号に基づいて、前記被験者の移動能力を評価するように構成された移動能力評価装置とを備え、
前記移動能力評価装置は、
前記加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを含み、
前記移動能力は、前記被験者の移動時における前後バランス、体重移動および左右バランスの少なくとも１つを含み、
前記制御部は、前記移動能力に対応した以下の
（ａ）少なくとも１歩行周期における前記前後加速度の時間波形における、前方加速度および後方加速度の分布の度数に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形を用いた、前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形を用いた、前記左右バランスを示す指標の算出、
のうちの少なくとも１つを実行する、移動能力評価システム。
【請求項１２】
前記加速度センサは、
前記被験者の前記腰部に生じる前記前後加速度、前記左右加速度および前記上下加速度を測定するように構成されたセンサ部と、
前記被験者が静止した状態であるときの前記センサ部の測定値を、前記前後加速度、前記左右加速度および前記前後加速度の零点に補正するともに、前記被験者の移動中において、１ｍｓ以上２００ｍｓ以下の周期で前記センサ部の測定値を取得するように構成された信号処理回路とを含む、請求項１１に記載の移動能力評価システム。
【請求項１３】
前記移動能力評価装置は、前記通信部により取得された前記前後加速度、前記左右加速度および前記上下加速度、ならびに前記制御部における評価結果を記憶するように構成された記憶装置をさらに含み、
前記加速度センサは、
前記信号処理回路により取得された前記センサ部の測定値を前記通信部に向けて送信するように構成された送信部と、
前記信号処理回路により取得された前記センサ部の測定値を保存するように構成された記憶部とを含み、
前記信号処理回路は、前記移動能力評価装置からの信号に応じて、前記記憶装置および前記記憶部のいずれか一方を選択して前記センサ部の測定値を保存する、請求項１２に記載の移動能力評価システム。
【請求項１４】
コンピュータに、被験者の移動能力を評価する処理を実行させるためのプログラムであって、
前記移動能力は、前記被験者の移動時における前後バランス、体重移動および左右バランスの少なくとも１つを含み、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力を評価するステップでは、前記移動能力に対応した以下の
（ａ）少なくとも１歩行周期における前記前後加速度の時間波形における、前方加速度および後方加速度の分布の度数に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形を用いた、前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形を用いた、前記左右バランスを示す指標の算出、
のうちの少なくとも１つを前記コンピュータに実行させる、移動能力評価プログラム。
【請求項１５】
被験者の移動能力を評価する移動能力評価方法であって、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力は、前記被験者の移動時における前後バランス、体重移動および左右バランスの少なくとも１つを含み、
前記移動能力を評価するステップでは、前記移動能力に対応した以下の
（ａ）少なくとも１歩行周期における前記前後加速度の時間波形における、前方加速度および後方加速度の分布の度数に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形を用いた、前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形を用いた、前記左右バランスを示す指標の算出、
のうちの少なくとも１つを実行する、移動能力評価方法。
【請求項１６】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスを含み、
前記制御部は、前記移動能力に対応した以下の
（ａ）少なくとも１歩行周期における前記前後加速度の時間波形における、前方加速度および後方加速度の分布の度数に基づいた、前記前後バランスを示す指標の算出、
（ｂ）１歩行周期における前記前後加速度の時間波形における、前記被験者の一方の足の踵接地時刻および立脚中期時刻の探索、ならびに、前記踵接地時刻から前記立脚中期時刻までの時間における前記上下加速度の時間波形を用いた、前記体重移動を示す指標の算出、
（ｃ）１歩行周期における前記前後加速度および前記左右加速度の時間波形からの、前記前後加速度の時間波形における、前記被験者の右踵接地時刻、右立脚中期時刻、左踵接地時刻、および左立脚中期時刻の探索、ならびに、前記右踵接地時刻から前記右立脚中期時刻までの時間における左方加速度の時間波形、および前記左踵接地時刻から前記左立脚中期時刻までの右方加速度の時間波形を用いた、前記左右バランスを示す指標の算出、
を実行する、移動能力評価装置。
【請求項１７】
被験者の移動能力を評価する移動能力評価装置であって、
前記被験者の腰部に装着された加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを備え、
前記移動能力は、前記被験者の移動時における前後バランス、体重移動および左右バランスを含み、
前記制御部は、前記移動能力に対応した以下の
（ａ）前記前後加速度の自己相関関数の遅れ時間波形を用いた、前記前後バランスを示す指標の算出、
（ｂ）前記上下加速度の自己相関関数の遅れ時間波形を用いた、前記体重移動を示す指標の算出、
（ｃ）前記左右加速度の自己相関関数の遅れ時間波形および前記前後加速度の自己相関関数の遅れ時間波形を用いた、前記左右バランスを示す指標の算出、
を実行する、移動能力評価装置。
【請求項１８】
被験者の腰部に装着された加速度センサと、
前記加速度センサが出力する信号に基づいて、前記被験者の移動能力を評価するように構成された移動能力評価装置とを備え、
前記移動能力評価装置は、
前記加速度センサにより測定された、前記被験者の移動中における前後加速度、左右加速度および上下加速度を取得するように構成された通信部と、
前記通信部により取得された前記前後加速度、前記左右加速度および前記上下加速度の時間的変化に基づいて、前記移動能力を評価するように構成された制御部とを含み、
前記移動能力は、前記被験者の移動時における前後バランス、体重移動および左右バランスの少なくとも１つを含み、
前記制御部は、前記移動能力に対応した以下の
（ａ）前記前後加速度の自己相関関数の遅れ時間波形を用いた、前記前後バランスを示す指標の算出、
（ｂ）前記上下加速度の自己相関関数の遅れ時間波形を用いた、前記体重移動を示す指標の算出、
（ｃ）前記左右加速度の自己相関関数の遅れ時間波形および前記前後加速度の自己相関関数の遅れ時間波形を用いた、前記左右バランスを示す指標の算出、
のうちの少なくとも１つを実行する、移動能力評価システム。
【請求項１９】
コンピュータに、被験者の移動能力を評価する処理を実行させるためのプログラムであって、
前記移動能力は、前記被験者の移動時における前後バランス、体重移動および左右バランスの少なくとも１つを含み、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力を評価するステップでは、前記移動能力に対応した以下の
（ａ）前記前後加速度の自己相関関数の遅れ時間波形を用いた、前記前後バランスを示す指標の算出、
（ｂ）前記上下加速度の自己相関関数の遅れ時間波形を用いた、前記体重移動を示す指標の算出、
（ｃ）前記左右加速度の自己相関関数の遅れ時間波形および前記前後加速度の自己相関関数の遅れ時間波形を用いた、前記左右バランスを示す指標の算出、
のうちの少なくとも１つを前記コンピュータに実行させる、移動能力評価プログラム。
【請求項２０】
被験者の移動能力を評価する移動能力評価方法であって、
前記被験者の腰部に装着された加速度センサにより測定された、前記被験者の移動中における前後加速度、左右加速度および上下加速度を取得するステップと、
取得された前記前後加速度、前記左右加速度および前記上下加速度の時間的変化に基づいて、前記移動能力を評価するステップとを備え、
前記移動能力は、前記被験者の移動時における前後バランス、体重移動および左右バランスの少なくとも１つを含み、
前記移動能力を評価するステップでは、前記移動能力に対応した以下の
（ａ）前記前後加速度の自己相関関数の遅れ時間波形を用いた、前記前後バランスを示す指標の算出、
（ｂ）前記上下加速度の自己相関関数の遅れ時間波形を用いた、前記体重移動を示す指標の算出、
（ｃ）前記左右加速度の自己相関関数の遅れ時間波形および前記前後加速度の自己相関関数の遅れ時間波形を用いた、前記左右バランスを示す指標の算出、
のうちの少なくとも１つを実行する、移動能力評価方法。
【国際調査報告】
2018051583.tif 000022
2018051583.tif 000023
2018051583.tif 000024
2018051583.tif 000025